(57)【要約】  第１デバイスからの第１メッセージ及び第２デバイスからの第２メッセージを備えるマルチユーザ送信を受信することと、第１メッセージを確認応答するとともに、第１デバイスを識別する宛先アドレスフィールドを含む第１媒体アクセス制御プロトコルデータユニットを生成することと、第２メッセージを確認応答するとともに、第２デバイスを識別する宛先アドレスフィールドを含む第２媒体アクセス制御プロトコルデータユニットを生成することと、第１媒体アクセス制御プロトコルデータユニット（ＭＰＤＵ）及び第２媒体アクセス制御プロトコルデータユニット（ＭＰＤＵ）を備えるアグリゲートされた媒体アクセス制御プロトコルデータユニット（Ａ−ＭＰＤＵ）を生成することと、ワイヤレスネットワーク上でアグリゲートされた媒体アクセス制御プロトコルデータユニット（Ａ−ＭＰＤＵ）を送信することと、を含む、ワイヤレスネットワーク上でマルチユーザ送信を確認応答する方法及びシステム。【選択図】      図７
2018500801.tif 000002
【特許請求の範囲】
【請求項１】
ワイヤレスネットワーク上で第１デバイス及び第２デバイスから第３デバイスへの送信を確認応答する方法であって、
前記第３デバイスによって、第１媒体アクセス制御プロトコルデータユニット及び第２媒体アクセス制御プロトコルデータユニットを含むアグリゲートされた媒体アクセス制御プロトコルデータユニットを生成することと、ここで、前記第１媒体アクセス制御データユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記第３デバイスによって、前記ワイヤレスネットワーク上で前記アグリゲートされた媒体アクセス制御プロトコルデータユニットを送信することと、
を備える、方法。
【請求項２】
前記第１メッセージ及び前記第２メッセージを含むマルチユーザ送信を受信することをさらに備える、請求項１記載の方法。
【請求項３】
前記マルチユーザ送信は、マルチユーザ多入力多出力を使用する、請求項２記載の方法。
【請求項４】
前記マルチユーザ送信は、直交周波数分割多重化を使用する、請求項２記載の方法。
【請求項５】
前記アグリゲートされた媒体アクセス制御プロトコルデータユニットは、前記アグリゲートされた媒体アクセス制御プロトコルデータユニットが、相違する宛先アドレスフィールドを有する１つ超の媒体アクセス制御プロトコルデータユニットを含むかどうか、のインジケータをさらに含むように生成される、請求項１記載の方法。
【請求項６】
第４デバイスから第３メッセージを受信することをさらに備え、ここにおいて、前記アグリゲートされた媒体アクセス制御プロトコルデータユニットは、前記第３メッセージの受信を確認応答し、前記第４デバイスを識別する第３宛先アドレスフィールドを含む、第３媒体アクセス制御プロトコルデータユニットをさらに含むように生成される、請求項１記載の方法。
【請求項７】
前記アグリゲートされた媒体アクセス制御プロトコルデータユニットの前記送信のための時間レファレンスを含むトリガメッセージを送信することをさらに備える、請求項１記載の方法。
【請求項８】
前記トリガメッセージは、アクセスポイントによって送信される、請求項７記載の方法。
【請求項９】
前記トリガメッセージは、クリアツートランスミット（ＣＴＸ）メッセージである、請求項７記載の方法。
【請求項１０】
前記第１デバイス及び前記第２デバイスは局であり、前記第３デバイスはアクセスポイントである、請求項１記載の方法。
【請求項１１】
ワイヤレスネットワーク上で第１デバイス及び第２デバイスからの送信を確認応答するための装置であって、
第１媒体アクセス制御プロトコルデータユニット及び第２媒体アクセス制御プロトコルデータユニットを含むアグリゲートされた媒体アクセス制御プロトコルデータユニットを生成するように構成されたプロセッサと、ここで、前記第１媒体アクセス制御データユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記ワイヤレスネットワーク上で前記アグリゲートされた媒体アクセス制御プロトコルデータユニットを送信するように構成された送信器と、
を備える、装置。
【請求項１２】
マルチユーザ送信中で前記第１メッセージ及び前記第２メッセージを受信するように構成された受信器をさらに備える、請求項１１記載の装置。
【請求項１３】
前記マルチユーザ送信は、マルチユーザ多入力多出力を使用する、請求項１２記載の装置。
【請求項１４】
前記マルチユーザ送信は、直交周波数分割多重化を使用する、請求項１２記載の装置。
【請求項１５】
前記プロセッサは、前記アグリゲートされた媒体アクセス制御プロトコルデータユニットが相違する宛先アドレスフィールドを有する１つ超の媒体アクセス制御プロトコルデータユニットを含むかどうか、のインジケータを含むように、前記アグリゲートされた媒体アクセス制御プロトコルデータユニットを生成するようにさらに構成される、請求項１１記載の装置。
【請求項１６】
前記受信器は、第３デバイスから第３メッセージを受信するようにさらに構成され、前記プロセッサは、第３媒体アクセス制御プロトコルデータユニットをさらに含むように前記アグリゲートされた媒体アクセス制御プロトコルデータユニットを生成するようにさらに構成され、前記第３媒体アクセス制御プロトコルデータユニットは、前記第３メッセージの受信を確認応答するとともに、前記第３デバイスを識別する第３宛先アドレスフィールドを含む、請求項１２記載の装置。
【請求項１７】
前記プロセッサは、前記アグリゲートされた媒体アクセス制御プロトコルデータユニットの前記送信のための時間レファレンスを含むトリガメッセージを送信するようにさらに構成される、請求項１１記載の装置。
【請求項１８】
前記トリガメッセージは、アクセスポイントによって送信される、請求項１７記載の装置。
【請求項１９】
前記トリガメッセージは、クリアツートランスミット（ＣＴＸ）メッセージである、請求項１７記載の装置。
【請求項２０】
前記第１デバイス及び前記第２デバイスは局であり、前記装置はアクセスポイントである、請求項１１記載の装置。
【請求項２１】
ワイヤレスネットワーク上で第１デバイス及び第２デバイスからの送信を確認応答するための装置であって、
第３デバイスによって、第１媒体アクセス制御プロトコルデータユニット及び第２媒体アクセス制御プロトコルデータユニットを備えるアグリゲートされた媒体アクセス制御プロトコルデータユニットを生成するための手段と、ここで、前記第１媒体アクセス制御プロトコルデータユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記ワイヤレスネットワーク上で前記アグリゲートされた媒体アクセス制御プロトコルデータユニットを送信するための手段と、
を備える、装置。
【請求項２２】
実行されると、プロセッサにワイヤレスネットワーク上で第１デバイス及び第２デバイスから第３デバイスへの送信を確認応答する方法を実行させる命令を備える、コンピュータ可読記憶媒体であって、前記方法は、
前記第３デバイスによって、第１媒体アクセス制御プロトコルデータユニット及び第２媒体アクセス制御プロトコルデータユニットを備えるアグリゲートされた媒体アクセス制御プロトコルデータユニットを生成することと、ここで、前記第１媒体アクセス制御プロトコルデータユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記第３デバイスによって、前記ワイヤレスネットワーク上で前記アグリゲートされた媒体アクセス制御プロトコルデータユニットを送信することと、
を備える、コンピュータ可読記憶媒体。
【請求項２３】
前記第１メッセージ及び前記第２メッセージを含むマルチユーザ送信を受信することをさらに備える、請求項２２記載のコンピュータ可読記憶媒体。
【請求項２４】
前記マルチユーザ送信は、マルチユーザ多入力多出力を使用する、請求項２３記載のコンピュータ可読記憶媒体。
【請求項２５】
前記マルチユーザ送信は、直交周波数分割多重化を使用する、請求項２３記載のコンピュータ可読記憶媒体。
【請求項２６】
前記方法は、前記アグリゲートされた媒体アクセス制御プロトコルデータユニットが相違する宛先アドレスフィールドを有する１つ超の媒体アクセス制御プロトコルデータユニットを含むかどうか、のインジケータを含むように、前記アグリゲートされた媒体アクセス制御プロトコルデータユニットを生成することをさらに備える、請求項２２記載のコンピュータ可読記憶媒体。
【請求項２７】
前記方法は、第４デバイスから第３メッセージを受信することをさらに備え、ここにおいて、前記アグリゲートされた媒体アクセス制御プロトコルデータユニットは、前記第３メッセージの受信を確認応答する第３媒体アクセス制御プロトコルデータユニットを含むように生成される、請求項２２記載のコンピュータ可読記憶媒体。
【請求項２８】
前記方法は、前記アグリゲートされた媒体アクセス制御プロトコルデータユニットの前記送信のための時間レファレンスを含むようにトリガメッセージを送信することをさらに備える、請求項２２記載のコンピュータ可読記憶媒体。
【請求項２９】
前記トリガメッセージは、アクセスポイントによって送信される、請求項２８記載のコンピュータ可読記憶媒体。
【請求項３０】
前記トリガメッセージは、クリアツートランスミット（ＣＴＸ）メッセージである、請求項２８記載のコンピュータ可読記憶媒体。
【請求項３１】
前記第１デバイス及び前記第２デバイスは局であり、前記第３デバイスはアクセスポイントである、請求項２２記載のコンピュータ可読記憶媒体。
【請求項３２】
ワイヤレス通信の方法であって、
第１デバイスによって、第２デバイスからアグリゲートされた媒体アクセス制御プロトコルデータユニットを受信することと、ここにおいて、前記アグリゲートされた媒体アクセス制御プロトコルデータユニットは、１つ超の媒体アクセス制御プロトコルデータユニットを含む、
前記第１デバイスによって、前記アグリゲートされた媒体アクセス制御プロトコルデータユニットを復号することと、
前記第１デバイスによって、前記アグリゲートされた媒体アクセス制御プロトコルデータユニットの前記復号に基づいて、前記アグリゲートされた媒体アクセス制御プロトコルデータユニットが前記第１デバイスによるメッセージの送信を確認応答しているかどうかを決定することと、
を備える、方法。
【請求項３３】
マルチユーザ送信中で前記第２デバイスに前記メッセージを送信することをさらに備える、請求項３２記載の方法。
【請求項３４】
前記マルチユーザ送信は、マルチユーザ多入力多出力を使用する、請求項３３記載の方法。
【請求項３５】
前記マルチユーザ送信は、直交周波数分割多重化を使用する、請求項３３記載の方法。
【請求項３６】
前記第１デバイスが前記アグリゲートされた媒体アクセス制御プロトコルデータユニット中に含まれる媒体アクセス制御プロトコルデータユニットによってユニキャストアドレス指定されるかどうかを決定することと、前記第１デバイスが前記媒体アクセス制御プロトコルデータユニットによってユニキャストアドレス指定されていることに応答して、前記メッセージが確認応答されていると決定することと、をさらに備える、請求項３２記載の方法。
【請求項３７】
前記第１デバイスによる前記メッセージの前記送信の受信を確認応答する前記アグリゲートされた媒体アクセス制御プロトコルデータユニットの受信のための時間レファレンスを決定するために、トリガメッセージを復号することと、
前記時間レファレンスに基づいて、前記アグリゲートされた媒体アクセス制御プロトコルデータユニットの前記受信の前にスリープステートに入ることと、
をさらに備える、請求項３２記載の方法。
【請求項３８】
前記トリガメッセージは、クリアツートランスミット（ＣＴＸ）メッセージである、請求項３７記載の方法。
【請求項３９】
前記第１デバイスは局であり、前記第２デバイスはアクセスポイントである、請求項３２記載の方法。
【請求項４０】
ワイヤレス通信のための装置であって、
デバイスからアグリゲートされた媒体アクセス制御プロトコルデータユニットを受信するように構成された受信器と、ここにおいて、前記アグリゲートされた媒体アクセス制御プロトコルデータユニットは、１つ超の媒体アクセス制御プロトコルデータユニットを含む、
プロセッサであって、
前記アグリゲートされた媒体アクセス制御プロトコルデータユニットを復号することと、
前記アグリゲートされた媒体アクセス制御プロトコルデータユニットの前記復号に基づいて、前記アグリゲートされた媒体アクセス制御プロトコルデータユニットが前記装置によるメッセージの送信を確認応答しているかどうかを決定することと、
を行うように構成されたプロセッサと、
を備える、装置。
【請求項４１】
マルチユーザ送信の一部として前記メッセージを送信するように構成された送信器をさらに備える、請求項４０記載の装置。
【請求項４２】
前記マルチユーザ送信は、マルチユーザ多入力多出力を使用する、請求項４１記載の装置。
【請求項４３】
前記マルチユーザ送信は、直交周波数分割多重化を使用する、請求項４１記載の装置。
【請求項４４】
前記プロセッサは、前記装置が前記アグリゲートされた媒体アクセス制御プロトコルデータユニット中に含まれる媒体アクセス制御プロトコルデータユニットによってユニキャストアドレス指定されるかどうかを決定することと、前記装置が前記媒体アクセス制御プロトコルデータユニットによってユニキャストアドレス指定されていることに応答して、前記メッセージが確認応答されると決定することと、を行うようにさらに構成される、請求項４０記載の装置。
【請求項４５】
前記受信器は、トリガメッセージを受信するようにさらに構成され、
ここにおいて、前記プロセッサは、前記装置による前記メッセージの前記送信の受信を確認応答する前記アグリゲートされた媒体アクセス制御プロトコルデータユニットの受信のための時間レファレンスを決定するために前記トリガメッセージを復号することと、前記時間レファレンスに基づいて、前記アグリゲートされた媒体アクセス制御プロトコルデータユニットの前記受信の前にスリープステートに入ることと、を行うようにさらに構成される、請求項４０記載の装置。
【請求項４６】
前記トリガメッセージは、クリアツートランスミット（ＣＴＸ）メッセージである、請求項４５記載の装置。
【請求項４７】
前記装置は局であり、前記デバイスはアクセスポイントである、請求項４０記載の装置。
【請求項４８】
ワイヤレス通信のための装置であって、
アグリゲートされた媒体アクセス制御プロトコルデータユニットを受信するための手段と、ここにおいて、前記アグリゲートされた媒体アクセス制御プロトコルデータユニットは、１つ超の媒体アクセス制御プロトコルデータユニットを含む、
前記アグリゲートされた媒体アクセス制御プロトコルデータユニットを復号するための手段と、
前記アグリゲートされた媒体アクセス制御プロトコルデータユニットの前記復号に基づいて、前記アグリゲートされた媒体アクセス制御プロトコルデータユニットが前記装置によるメッセージの送信を確認応答しているかどうかを決定するための手段と、
を備える、装置。
【請求項４９】
実行されると、プロセッサにワイヤレス通信の方法を実行させる命令を備える、コンピュータ可読記憶媒体であって、前記方法は、
第１デバイスによって、第２デバイスからアグリゲートされた媒体アクセス制御プロトコルデータユニットを受信することと、ここにおいて、前記アグリゲートされた媒体アクセス制御プロトコルデータユニットは、１つ超の媒体アクセス制御プロトコルデータユニットを含む、
前記アグリゲートされた媒体アクセス制御プロトコルデータユニットを復号することと、
前記アグリゲートされた媒体アクセス制御プロトコルデータユニットの前記復号に基づいて、前記アグリゲートされた媒体アクセス制御プロトコルデータユニットが前記第１デバイスによるメッセージの送信を確認応答しているかどうかを決定することと、
を備える、コンピュータ可読記憶媒体。
【請求項５０】
マルチユーザ送信中で前記メッセージを送信することをさらに備える、請求項４９記載のコンピュータ可読記憶媒体。
【請求項５１】
前記マルチユーザ送信は、マルチユーザ多入力多出力を使用する、請求項５０記載のコンピュータ可読記憶媒体。
【請求項５２】
前記マルチユーザ送信は、直交周波数分割多重化を使用する、請求項５０記載のコンピュータ可読記憶媒体。
【請求項５３】
前記方法は、前記第１デバイスが前記アグリゲートされた媒体アクセス制御プロトコルデータユニット中に含まれる媒体アクセス制御プロトコルデータユニットによってユニキャストアドレス指定されるかどうかを決定することと、前記第１デバイスが前記媒体アクセス制御プロトコルデータユニットによってユニキャストアドレス指定されていることに応答して、前記メッセージが確認応答されると決定することと、をさらに備える、請求項４９記載のコンピュータ可読記憶媒体。
【請求項５４】
前記方法は、
トリガメッセージを受信することと、
前記第１デバイスによる前記メッセージの前記送信の受信を確認応答する前記アグリゲートされた媒体アクセス制御プロトコルデータユニットの受信のための時間レファレンスを決定するために前記トリガメッセージを復号することと、
前記時間レファレンスに基づいて、前記アグリゲートされた媒体アクセス制御プロトコルデータユニットの前記受信の前にスリープステートに入ることと、
をさらに備える、請求項４９記載のコンピュータ可読記憶媒体。
【請求項５５】
前記トリガメッセージは、クリアツートランスミット（ＣＴＸ）メッセージである、請求項５４記載のコンピュータ可読媒体。
【請求項５６】
前記第１デバイスは局であり、前記第２デバイスはアクセスポイントである、請求項４９記載のコンピュータ可読媒体。
【発明の詳細な説明】
【技術分野】
【０００１】
[0001]本開示のある態様は、一般にワイヤレス通信に関し、より詳細にはワイヤレスネットワーク中の複数ユーザアップリンク通信（multiple user uplink communication）のための方法及び装置に関する。
【背景技術】
【０００２】
[0002]多くの遠距離通信システムにおいて、通信ネットワークはいくつかの対話している空間的に分離されたデバイスの間でメッセージを交換するために使用される。ネットワークは、例えば、メトロポリタンエリア、ローカルエリア、又はパーソナルエリアであり得る地理的範囲に従って分類され得る。そのようなネットワークはそれぞれ、広域ネットワーク（ＷＡＮ）、メトロポリタンエリアネットワーク（ＭＡＮ）、ローカルエリアネットワーク（ＬＡＮ）、又はパーソナルエリアネットワーク（ＰＡＮ）に指定され得る。ネットワークはまた、様々なネットワークノードとデバイスとを相互接続するために使用される交換／ルーティング技法（たとえば、回線交換対パケット交換）、送信のために採用される物理媒体のタイプ（例えば、ワイヤード対ワイヤレス）、及び使用される通信プロトコルのセット（例えば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素が移動型であって、したがって動的接続性の必要を有するときに、又はネットワークアーキテクチャが、固定ではなくアドホックなトポロジーで形成される場合にしばしば好適である。ワイヤレスネットワークは、無線、マイクロ波、赤外線、光などの周波数帯域中の電磁波を使用して、非誘導伝搬方式で無形物理媒体を採用する。ワイヤレスネットワークは、有利なことに、固定ワイヤードネットワークと比較して、ユーザモビリティと迅速なフィールド展開とを可能にする。
【０００４】
[0004]ワイヤレス通信システムに要求される、高まり続ける帯域幅要件の問題を扱うために、高いデータスループットを達成しながらチャネルリソースを共用することによって複数のユーザ端末が単一のアクセスポイントと通信することを可能にするために種々のスキームが開発されている。通信リソースが制限されているので、アクセスポイントと複数の端末との間を通るトラフィックの量を減じることが望ましい。例えば、複数の端末がアクセスポイントへアップリンク通信を送るときには、全ての送信のアップリンクを完了するためのトラフィックの量を最小限に抑えることが望ましい。したがって、複数の端末からのアップリンク送信のための改善されたプロトコルに対するニーズがある。
【発明の概要】
【０００５】
[0005]添付の特許請求の範囲内のシステム、方法、及びデバイスの様々な実装形態は、各々、いくつかの態様を有し、それらのうちの単一の態様のいずれも、単独で、本明細書に記述される望ましい属性を担わない。添付の特許請求の範囲を限定することなしに、いくつかの目立った特徴が本明細書に記述される。
【０００６】
[0006]本明細書に記述される主題の１つ又は複数の実装形態の詳細が、添付の図面及び以下の記述中に記載される。他の特徴、態様、及び利点は、記述、図面、及び特許請求の範囲から明らかになるであろう。以下の図面の相対的な寸法は原寸通りに描かれていない場合があることに留意されたい。
【０００７】
[0007]本開示の一態様は、ワイヤレスネットワーク上で第１デバイス及び第２デバイスからの送信を確認応答する方法を提供する。方法は、送信機会オーナーによって、第１デバイスからの第１メッセージ及び第２デバイスからの第２メッセージを備えるマルチユーザ送信を受信することと、送信機会オーナーによって、第１メッセージの受信を確認応答するとともに、第１デバイスを識別する第１宛先アドレスフィールドを含む、第１媒体アクセス制御プロトコルデータユニットを生成することと、送信機会オーナーによって、第２メッセージの受信を確認応答するとともに、第２デバイスを識別する第２宛先アドレスフィールドを含む、第２媒体アクセス制御プロトコルデータユニットを生成することと、送信機会オーナーによって、第１媒体アクセス制御プロトコルデータユニット（ＭＰＤＵ）及び第２媒体アクセス制御プロトコルデータユニット（ＭＰＤＵ）を備えるアグリゲートされた媒体アクセス制御プロトコルデータユニット（Ａ−ＭＰＤＵ）を生成することと、送信機会オーナーによって、ワイヤレスネットワーク上で、アグリゲートされた媒体アクセス制御プロトコルデータユニット（Ａ−ＭＰＤＵ）を送信することと、を含む。
【０００８】
[0008]方法のいくつかの態様は、マルチユーザ多入力多出力（ＭＵ−ＭＩＭＯ）又は直交周波数分割多重化（ＯＦＤＭ）を使用するマルチユーザ送信を受信することをさらに含む。方法のいくつかの態様は、アグリゲートされた媒体アクセス制御プロトコルデータユニット（Ａ−ＭＰＤＵ）が相違する宛先アドレスフィールドを有する１つ超の媒体アクセス制御プロトコルデータユニットを含むかどうかを示すインジケータを備えるように、アグリゲートされた媒体アクセス制御を生成することをさらに含む。いくつかの態様では、マルチユーザ送信は、第３デバイスからの第３メッセージをさらに含む。これらの態様では、方法は、第３メッセージを確認応答するとともに、第３デバイスを識別する第３宛先アドレスフィールドを含む、第３媒体アクセス制御プロトコルデータユニットを生成することと、第３媒体アクセス制御プロトコルデータユニット（ＭＰＤＵ）をさらに含むように、アグリゲートされた媒体アクセス制御プロトコルデータユニット（Ａ−ＭＰＤＵ）を生成することと、をさらに含む。
【０００９】
[0009]方法のいくつかの態様は、トリガメッセージを送信することをさらに含み、トリガメッセージはマルチユーザ送信が起こる時間のインジケータを備える。
【００１０】
[0010]開示される別の態様は、ワイヤレスネットワーク上で第１デバイス及び第２デバイスからのマルチユーザ送信を確認応答するための装置である。装置は、第１デバイスから第１メッセージを受信するとともに、第２デバイスから第２メッセージを受信するように構成された受信器と、第１メッセージを確認応答するとともに、第１デバイスを識別する宛先アドレスフィールドを含む、第１媒体アクセス制御プロトコルデータユニットを生成し、第２メッセージを確認応答するとともに、第２デバイスを識別する宛先アドレスフィールドを含む、第２媒体アクセス制御プロトコルデータユニットを生成し、第１媒体アクセス制御プロトコルデータユニット（ＭＰＤＵ）及び第２媒体アクセス制御プロトコルデータユニット（ＭＰＤＵ）を備えるアグリゲートされた媒体アクセス制御プロトコルデータユニット（Ａ−ＭＰＤＵ）を生成する、ように構成されたプロセッサと、を含む。装置はまた、ワイヤレスネットワーク上で、アグリゲートされた媒体アクセス制御プロトコルデータユニット（Ａ−ＭＰＤＵ）を送信するように構成された送信器を含む。
【００１１】
[0011]装置のいくつかの態様では、受信器は、マルチユーザ多入力多出力（ＭＵ−ＭＩＭＯ）又は直交周波数分割多重化（ＯＦＤＭ）を使用するマルチユーザ送信を受信するようにさらに構成される。装置のいくつかの態様では、プロセッサは、アグリゲートされた媒体アクセス制御プロトコルデータユニット（Ａ−ＭＰＤＵ）が相違する宛先アドレスフィールドを有する１つ超の媒体アクセス制御プロトコルデータユニットを含むかどうかを示すインジケータを備えるアグリゲートされた媒体アクセス制御を生成するようにさらに構成される。装置のいくつかの態様では、マルチユーザ送信は、第３デバイスからの第３メッセージをさらに含み、プロセッサは、第３メッセージの受信を確認応答するとともに、第３デバイスを識別する宛先アドレスフィールドを含む第３媒体アクセス制御プロトコルデータユニットを生成し、第３媒体アクセス制御プロトコルデータユニット（ＭＰＤＵ）をさらに含むように、アグリゲートされた媒体アクセス制御プロトコルデータユニット（Ａ−ＭＰＤＵ）を生成する、ようにさらに構成される。装置のいくつかの態様では、送信器はトリガメッセージを送信するようにさらに構成され、トリガメッセージはマルチユーザ送信が起こる時間のインジケータを備える。
【００１２】
[0012]開示される別の態様は、ワイヤレスネットワーク上で第１デバイス及び第２デバイスからのマルチユーザ送信を確認応答するための装置である。装置は、第１デバイスからの第１メッセージ及び第２デバイスからの第２メッセージを備えるマルチユーザ送信を受信するための手段と、第１メッセージの受信を確認応答するとともに、第１デバイスを識別する宛先アドレスフィールドを含む、第１媒体アクセス制御プロトコルデータユニットを生成するための手段と、第２メッセージの受信を確認応答するとともに、第２デバイスを識別する宛先アドレスフィールドを含む、第２媒体アクセス制御プロトコルデータユニットを生成するための手段と、第１媒体アクセス制御プロトコルデータユニット（ＭＰＤＵ）及び第２媒体アクセス制御プロトコルデータユニット（ＭＰＤＵ）を備えるアグリゲートされた媒体アクセス制御プロトコルデータユニット（Ａ−ＭＰＤＵ）を生成するための手段と、ワイヤレスネットワーク上で、アグリゲートされた媒体アクセス制御プロトコルデータユニット（ＡＭＰＤＵ）を送信するための手段と、を含む。装置のいくつかの態様はまた、マルチユーザ多入力多出力（ＭＵ−ＭＩＭＯ）又は直交周波数分割多重化（ＯＦＤＭ）を使用するマルチユーザ送信を受信するための手段を含む。装置のいくつかの態様はまた、アグリゲートされた媒体アクセス制御プロトコルデータユニット（Ａ−ＭＰＤＵ）が相違する宛先アドレスフィールドを有する１つ超の媒体アクセス制御プロトコルデータユニットを含むかどうかを示すインジケータを備えるように、アグリゲートされた媒体アクセス制御プロトコルデータユニットを生成するための手段を含む。装置のいくつかの態様では、マルチユーザ送信は、第３デバイスからの第３メッセージをさらに含む。これらの態様では、装置はまた、第３メッセージの受信を確認応答するとともに、第３デバイスを識別する宛先アドレスフィールドを含む、第３媒体アクセス制御プロトコルデータユニットを生成するための手段と、第３媒体アクセス制御プロトコルデータユニット（ＭＰＤＵ）をさらに含むように、アグリゲートされた媒体アクセス制御プロトコルデータユニット（Ａ−ＭＰＤＵ）を生成するための手段と、をさらに含む。装置のいくつかの態様はまた、トリガメッセージを送信するための手段を含み、トリガメッセージはマルチユーザ送信が起こる時間のインジケータを備える。
【００１３】
[0013]開示される別の態様は、実行されると、プロセッサにワイヤレスネットワーク上で第１デバイス及び第２デバイスからの送信を確認応答する方法を実行させる命令（instructions）を備えるコンピュータ可読記憶媒体である。方法は、送信機会オーナーによって、第１デバイスからの第１メッセージ及び第２デバイスからの第２メッセージを備えるマルチユーザ送信を受信することと、送信機会オーナーによって、第１メッセージの受信を確認応答するとともに、第１デバイスを識別する宛先アドレスフィールドを含む、第１媒体アクセス制御プロトコルデータユニットを生成することと、送信機会オーナーによって、第２メッセージの受信を確認応答するとともに、第２デバイスを識別する宛先アドレスフィールドを含む、第２媒体アクセス制御プロトコルデータユニットを生成することと、送信機会オーナーによって、第１媒体アクセス制御プロトコルデータユニット（ＭＰＤＵ）及び第２媒体アクセス制御プロトコルデータユニット（ＭＰＤＵ）を備えるアグリゲートされた媒体アクセス制御プロトコルデータユニット（Ａ−ＭＰＤＵ）を生成することと、送信機会オーナーによって、ワイヤレスネットワーク上でアグリゲートされた媒体アクセス制御プロトコルデータユニット（Ａ−ＭＰＤＵ）を送信することと、を含む。
【００１４】
[0014]コンピュータ可読記憶媒体の方法のいくつかの態様は、マルチユーザ多入力多出力（ＭＵ−ＭＩＭＯ）又は直交周波数分割多重化（ＯＦＤＭ）を使用するマルチユーザ送信を受信することをさらに含む。コンピュータ可読記憶媒体の方法のいくつかの態様は、アグリゲートされた媒体アクセス制御プロトコルデータユニット（Ａ−ＭＰＤＵ）が相違する宛先アドレスフィールドを有する少なくとも２つの媒体アクセス制御プロトコルデータユニットを含むかどうかを示すインジケータを備えるようにアグリゲートされた媒体アクセス制御を生成することをさらに含む。いくつかの態様では、マルチユーザ送信は、第３デバイスからの第３メッセージをさらに含む。これらの態様では、コンピュータ可読記憶媒体の方法は、第３メッセージの受信を確認応答するとともに、第３デバイスを識別する宛先アドレスフィールドを含む、第３媒体アクセス制御プロトコルデータユニットを生成することと、第３媒体アクセス制御プロトコルデータユニット（ＭＰＤＵ）をさらに含むように、アグリゲートされた媒体アクセス制御プロトコルデータユニット（Ａ−ＭＰＤＵ）を生成することと、をさらに含む。
【００１５】
[0015]コンピュータ可読記憶媒体の方法のいくつかの態様は、トリガメッセージを送信することをさらに含み、トリガメッセージはマルチユーザ送信が起こる時間のインジケータを備える。
【００１６】
[0016]開示される別の態様はワイヤレス通信の方法である。方法は、デバイスによって、送信機会オーナーにマルチユーザ送信の一部を備えるメッセージを送信することと、送信機会オーナーからアグリゲートされた媒体アクセス制御プロトコルデータユニットを受信することと、アグリゲートされた媒体アクセス制御プロトコルデータユニットから２つの媒体アクセス制御プロトコルデータユニットの少なくとも一部を復号することと、メッセージが復号された媒体アクセス制御プロトコルデータユニットのうちの１つによって確認応答されるかどうかを決定することと、を含む。いくつかの態様では、方法はまた、マルチユーザ多入力多出力（ＭＵ−ＭＩＭＯ）又は直交周波数分割多重化（ＯＦＤＭ）を使用するメッセージを送信することを含む。いくつかの態様では、方法はまた、デバイスが媒体アクセス制御プロトコルデータユニットによってユニキャストアドレス指定されるかどうかを決定することと、デバイスが１つの媒体アクセス制御プロトコルデータユニットによってユニキャストアドレス指定されていることに基づいて１つの媒体アクセス制御プロトコルデータユニットを決定することと、を含む。いくつかの態様では、方法はまた、アグリゲートされた媒体アクセス制御プロトコルデータユニット（Ａ−ＭＰＤＵ）がマルチユーザ送信の受信を確認応答していることを決定することを含み、ここにおいて、決定に応答して、アグリゲートされた媒体アクセス制御プロトコルデータユニットから少なくとも２つの媒体アクセス制御プロトコルデータユニットが復号される。いくつかの態様では、方法はまた、アグリゲートされた媒体アクセス制御プロトコルデータユニット（Ａ−ＭＰＤＵ）がマルチユーザ送信の受信を確認応答していることを決定するために、アグリゲートされた媒体アクセス制御プロトコルデータユニット（Ａ−ＭＰＤＵ）中に含まれるインジケータを復号することを含む。
【００１７】
[0017]いくつかの態様では、方法はまた、トリガメッセージを受信することと、トリガメッセージに基づいてメッセージの送信を開始する時間を決定することと、決定された時間にメッセージを送信することと、を含む。いくつかの態様では、方法はまた、メッセージの確認応答のための時間レファレンスを決定するためにトリガメッセージを復号することと、時間レファレンスに基づいてスリープステートに入ることと、を含む。
【００１８】
[0018]開示される別の態様は、ワイヤレス通信のための装置である。装置は、送信機会オーナーに、マルチユーザ送信の一部を備えるメッセージを送信するように構成された送信器と、送信機会オーナーから、アグリゲートされた媒体アクセス制御プロトコルデータユニットを受信するように構成された受信器と、アグリゲートされた媒体アクセス制御プロトコルデータユニットから２つの媒体アクセス制御プロトコルデータユニットの少なくとも一部を復号し、メッセージが復号された媒体アクセス制御プロトコルデータユニットのうちの１つによって確認応答されるかどうかを決定する、ように構成されたプロセッサと、を含む。
【００１９】
[0019]装置のいくつかの態様では、送信器は、マルチユーザ多入力多出力（ＭＵ−ＭＩＭＯ）又は直交周波数分割多重化（ＯＦＤＭ）を使用するメッセージを送信するようにさらに構成される。装置のいくつかの態様では、プロセッサは、デバイスが少なくとも２つの媒体アクセス制御プロトコルデータユニットによってユニキャストアドレス指定されるかどうかを決定し、デバイスが１つの媒体アクセス制御プロトコルデータユニットによってユニキャストアドレス指定されていることに基づいて１つの媒体アクセス制御プロトコルデータユニットを決定する、ようにさらに構成される。
【００２０】
[0020]装置のいくつかの態様では、プロセッサは、アグリゲートされた媒体アクセス制御プロトコルデータユニット（Ａ−ＭＰＤＵ）がマルチユーザ送信の受信を確認応答していると決定するようにさらに構成され、ここにおいて、決定に応答して、少なくとも２つの媒体アクセス制御プロトコルデータユニットがアグリゲートされた媒体アクセス制御プロトコルデータユニットから復号される。装置のいくつかの態様では、プロセッサは、アグリゲートされた媒体アクセス制御プロトコルデータユニット（Ａ−ＭＰＤＵ）がマルチユーザ送信の受信を確認応答していると決定するために、アグリゲートされた媒体アクセス制御プロトコルデータユニット（Ａ−ＭＰＤＵ）中に含まれるインジケータを復号するようにさらに構成される。装置のいくつかの態様では、受信器は、トリガメッセージを受信するようにさらに構成され、プロセッサは、トリガメッセージに基づいてメッセージの送信を開始する時間を決定するようにさらに構成され、送信器は、決定された時間にメッセージを送信するようにさらに構成される。
【００２１】
[0021]開示される別の態様はワイヤレス通信のための装置である。装置は、送信機会オーナーに、マルチユーザ送信の一部を備えるメッセージを送信するための手段と、送信機会オーナーからアグリゲートされた媒体アクセス制御プロトコルデータユニットを受信するための手段と、アグリゲートされた媒体アクセス制御プロトコルデータユニットから２つの媒体アクセス制御プロトコルデータユニットの少なくとも一部を復号するための手段と、メッセージが復号された媒体アクセス制御プロトコルデータユニットのうちの１つによって確認応答されるかどうかを決定するための手段と、を含む。いくつかの態様では、装置はまた、マルチユーザ多入力多出力（ＭＵ−ＭＩＭＯ）又は直交周波数分割多重化（ＯＦＤＭ）を使用するメッセージを送信するための手段を含む。いくつかの態様では、装置はまた、デバイスが２つの媒体アクセス制御プロトコルデータユニットによってユニキャストアドレス指定されるかどうかを決定し、デバイスが１つの媒体アクセス制御プロトコルデータユニットによってユニキャストアドレス指定されていることに基づいて１つの媒体アクセス制御プロトコルデータユニットを決定するための手段を含む。いくつかの態様では、装置はまた、アグリゲートされた媒体アクセス制御プロトコルデータユニット（Ａ−ＭＰＤＵ）がマルチユーザ送信の受信を確認応答していると決定するための手段を含み、ここにおいて、決定に応答して、２つの媒体アクセス制御プロトコルデータユニットがアグリゲートされた媒体アクセス制御プロトコルデータユニットから復号される。いくつかの態様では、方法はまた、アグリゲートされた媒体アクセス制御プロトコルデータユニット（Ａ−ＭＰＤＵ）がマルチユーザ送信の受信を確認応答していると決定するために、アグリゲートされた媒体アクセス制御プロトコルデータユニット（Ａ−ＭＰＤＵ）中に含まれるインジケータを復号するための手段を含む。いくつかの態様では、装置はまた、トリガメッセージを受信するための手段と、トリガメッセージに基づいてメッセージの送信を開始する時間を決定するための手段と、決定された時間にメッセージを送信するための手段と、を含む。
【００２２】
[0022]開示される別の態様は、実行されると、プロセッサにワイヤレス通信の方法を実行させる命令を備えるコンピュータ可読記憶媒体である。方法は、デバイスによって、送信機会オーナーにマルチユーザ送信の一部を備えるメッセージを送信することと、送信機会オーナーから、アグリゲートされた媒体アクセス制御プロトコルデータユニットを受信することと、アグリゲートされた媒体アクセス制御プロトコルデータユニットから２つの媒体アクセス制御プロトコルデータユニットの少なくとも一部を復号することと、メッセージが復号された媒体アクセス制御プロトコルデータユニットのうちの１つによって確認応答されるかどうかを決定することと、を含む。コンピュータ可読記憶媒体のいくつかの態様では、方法はまた、マルチユーザ多入力多出力（ＭＵ−ＭＩＭＯ）又は直交周波数分割多重化（ＯＦＤＭ）を使用するメッセージを送信することを含む。コンピュータ可読記憶媒体のいくつかの態様では、方法はまた、デバイスが２つの媒体アクセス制御プロトコルデータユニットによってユニキャストアドレス指定されるかどうかを決定することと、デバイスが１つの媒体アクセス制御プロトコルデータユニットによってユニキャストアドレス指定されていることに基づいて１つの媒体アクセス制御プロトコルデータユニットを決定することと、を含む。コンピュータ可読記憶媒体のいくつかの態様では、方法はまた、アグリゲートされた媒体アクセス制御プロトコルデータユニット（Ａ−ＭＰＤＵ）がマルチユーザ送信の受信を確認応答していると決定することを含み、ここにおいて、決定に応答して、２つの媒体アクセス制御プロトコルデータユニットがアグリゲートされた媒体アクセス制御プロトコルデータユニットから復号される。コンピュータ可読記憶媒体のいくつかの態様では、方法はまた、アグリゲートされた媒体アクセス制御プロトコルデータユニット（Ａ−ＭＰＤＵ）がマルチユーザ送信の受信を確認応答していると決定するために、アグリゲートされた媒体アクセス制御プロトコルデータユニット（Ａ−ＭＰＤＵ）中に含まれるインジケータを復号することを含む。コンピュータ可読記憶媒体のいくつかの態様では、方法はまた、トリガメッセージを受信することと、トリガメッセージに基づいてメッセージの送信を開始する時間を決定することと、決定された時間にメッセージを送信することと、を含む。
【図面の簡単な説明】
【００２３】
【図１】[0023]アクセスポイント及びユーザ端末を有するシステムを示す。
【図２】[0024]ＭＩＭＯシステムにおけるアクセスポイント１１０並びに２つのユーザ端末１２０ｍ及び１２０ｘのブロック図を示す。
【図３】[0025]ワイヤレス通信システム内で使用され得るワイヤレスデバイス中で使用され得る様々なコンポーネントを示す。
【図４】[0026]アップリンク（ＵＬ）ＭＵ−ＭＩＭＯ通信の例示的なフレーム交換のタイムチャートを示す。
【図５】[0027]クリアツートランスミット（ＣＴＸ）フレームの一実施形態の図を示す。
【図６】[0028]ブロック確認応答フレームの一実施形態の図を示す。
【図７】[0029]ワイヤレス通信を提供するための例示的な方法の態様のフローチャートである。
【図８】[0030]ワイヤレス通信を提供するための例示的な方法の態様のフローチャートである。
【発明を実施するための形態】
【００２４】
[0031]新規のシステム、装置、及び方法の様々な態様が、以下で添付の図面を参照しながら、より完全に記述される。しかしながら、教示開示は、多くの種々の形態で具現化され得、本開示全体にわたって提示されるいずれかの特定の構造又は機能に限定されるものと解釈されるべきではない。むしろ、これらの態様は、本開示が徹底的で完全なものとなり、本開示の範囲を当業者に十分に伝えるように与えられる。本明細書の教示に基づいて、本開示の範囲は、本明細書に開示される新規のシステム、装置、及び方法のいかなる態様をも、本発明の他の態様とは独立に実装されるにせよ、組み合せられるにせよ、対象とすることを意図されることを当業者は諒解されたい。例えば、本明細書に記載される任意の数の態様を使用して、装置は実装され得、又は方法は実施され得る。加えて、本発明の範囲は、本明細書に記載される本発明の様々な態様に加えて、又はそれらの態様以外に、他の構造、機能、又は構造及び機能を使用して実施されるそのような装置又は方法を対象とすることを意図される。本明細書で開示されるいかなる態様も請求項の１つ又は複数の要素によって具現化され得ることを理解されたい。
【００２５】
[0032]特定の態様が本明細書で記述されるが、これらの態様の多くの変形及び置換は開示の範囲内に入る。好適な態様のいくつかの利益及び利点が言及されるが、本開示の範囲は、特定の利益、使用法、又は目的に限定されることを意図されない。むしろ、本開示の態様は、種々のワイヤレス技術、システム構成、ネットワーク、及び伝送プロトコルに広く適用可能であることが意図され、それらのうちのいくつかが、例として、好適な態様の以下の記述及び図に示される。詳細な記述及び図面は、本開示を限定するものではなく説明するものに過ぎず、本開示の範囲は、添付の特許請求の範囲及びその均等物によって定義される。
【００２６】
[0033]ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近接デバイスを一緒に相互接続するために使用され得る。本明細書で記述される様々な態様は、ＷｉＦｉ（登録商標）、又はより一般的には、ワイヤレスプロトコルのＩＥＥＥ８０２．１１ファミリーの任意のメンバーなど、任意の通信規格に適用され得る。
【００２７】
[0034]いくつかの態様では、ワイヤレス信号は、直交周波数分割多重化（ＯＦＤＭ）、直接シーケンススペクトラム拡散（ＤＳＳＳ：direct-sequence spread spectrum）通信、ＯＦＤＭとＤＳＳＳ通信との組合せ、又は他のスキームを使用して、高効率８０２．１１プロトコルに従って送信され得る。高効率８０２．１１プロトコルの実装形態は、インターネットアクセス、センサ、メータリング、スマートグリッドネットワーク、又は他のワイヤレス用途に使用され得る。有利なことに、この特定のワイヤレスプロトコルを実装するある装置の態様は、他のワイヤレスプロトコルを実装するデバイスよりも少ない電力を消費し得、短い距離にわたってワイヤレス信号を送信するために使用され得、及び／又は、人間のような物体によって遮られる確率のより低い信号を送信することが可能であり得る。
【００２８】
[0035]いくつかの実装形態では、ＷＬＡＮは、ワイヤレスネットワークにアクセスするコンポーネントである様々なデバイスを含む。例えば、２つのタイプのデバイス、すなわちアクセスポイント（「ＡＰ」）及び（局又は「ＳＴＡ」とも呼ばれる）クライアントがあり得る。一般に、ＡＰは、ＷＬＡＮのためのハブ又は基地局として機能し、ＳＴＡは、ＷＬＡＮのユーザとして機能する。例えば、ＳＴＡは、ラップトップコンピュータ、携帯情報端末（ＰＤＡ）、モバイルフォンなどであり得る。一例では、ＳＴＡは、インターネット又は他のワイドエリアネットワークへの一般的な接続性を得るためにＷｉＦｉ（例えば、８０２．１１ａｈなどのＩＥＥＥ８０２．１１プロトコル）準拠ワイヤレスリンクを介してＡＰに接続する。いくつかの実装形態では、ＳＴＡはＡＰとしても使用され得る。
【００２９】
[0036]本明細書で記述される技法は、直交多重化スキームに基づく通信システムを含む様々なブロードバンドワイヤレス通信システムに使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時（simultaneously）に送信するために十分に相違する方向を利用し得る。ＴＤＭＡシステムは、送信信号を、相違するタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）又は当技術分野で知られる他の何らかの規格を実装し得る。ＯＦＤＭＡシステムは、直交周波数分割多重化（ＯＦＤＭ）を利用し、これは、システム帯域幅全体を複数の直交サブキャリアに区分する変調技法である。これらのサブキャリアはまた、トーン、ビンなどと呼ばれ得る。ＯＦＤＭにより、各サブキャリアはデータによって独立して変調され得る。ＯＦＤＭシステムは、ＩＥＥＥ８０２．１１又は当技術分野で知られる他の何らかの規格を実装し得る。ＳＣ−ＦＤＭＡシステムは、システム帯域幅にわたって分散されたサブキャリア上で送信するためにインターリーブＦＤＭＡ（ＩＦＤＭＡ：interleaved FDMA）を、隣接するサブキャリアのブロック上で送信するためにローカライズドＦＤＭＡ（ＬＦＤＭＡ：localized FDMA）を、又は隣接するサブキャリアの複数のブロック上で送信するためにエンハンストＦＤＭＡ（ＥＦＤＭＡ：enhanced FDMA）を利用し得る。一般に、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））又は他の規格を実装し得る。
【００３０】
[0037]本明細書の教示は、様々なワイヤード又はワイヤレス装置（たとえば、ノード）に組み込まれ得る（例えば、装置内で実装されるか、又は装置によって実行され得る）。いくつかの態様では、本明細書の教示に従って実装されるワイヤレスノードは、アクセスポイント又はアクセス端末を備え得る。
【００３１】
[0038]アクセスポイント（「ＡＰ」）は、ＮｏｄｅＢ、無線ネットワークコントローラ（「ＲＮＣ」）、ｅＮｏｄｅＢ、基地局コントローラ（「ＢＳＣ」）、基地送受信器局（「ＢＴＳ」）、基地局（「ＢＳ」）、送受信器機能（「ＴＦ」）、無線ルータ、無線送受信器、基本サービスセット（「ＢＳＳ」）、拡張サービスセット（「ＥＳＳ」）、無線基地局（「ＲＢＳ」）、又は他の何らかの用語を備え得、又はそれらのいずれかとして実装され得、又はそれらのいずれかとして知られ得る。
【００３２】
[0039]局（「ＳＴＡ」）は、ユーザ端末、アクセス端末（「ＡＴ」）、加入者局、加入者ユニット、移動局、遠隔局、遠隔端末、ユーザエージェント、ユーザデバイス、ユーザ機器、又は他の何らかの用語を備え得、或いはそれらのいずれかとして実装され得、或いはそれらのいずれかとして知られ得る。いくつかの実装形態では、アクセス端末は、セルラ電話機、コードレス電話機、セッション開始プロトコル（「ＳＩＰ」）電話機、ワイヤレスローカルループ（「ＷＬＬ」）局、携帯情報端末（「ＰＤＡ」）、ワイヤレス接続機能を有するハンドヘルドデバイス、又はワイヤレスモデムに接続された他の何らかの適切な処理デバイスを備え得る。したがって、本明細書で教示される１つ又は複数の態様は、電話機（例えば、セルラ電話機又はスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽又はビデオデバイス、或いは衛星ラジオ）、ゲームデバイス又はシステム、全地球測位システムデバイス、或いはワイヤレス媒体を介して通信するように構成された任意の他の適切なデバイスに組み込まれ得る。
【００３３】
[0040]開示される方法及びシステムは、マルチユーザ送信を確認応答し、それは、いくつかの態様では、アグリゲートされた媒体アクセス制御プロトコルデータユニット（Ａ−ＭＰＤＵ）を使用することによって、ワイヤレスネットワーク上での直交周波数分割多重化（ＯＦＤＭ）又はマルチユーザ多入力多出力（ＭＵ−ＭＩＭＯ）によって実行され得る。いくつかの態様では、Ａ−ＭＰＤＵは、マルチユーザ送信に含まれる各メッセージについてのＭＰＤＵを含み、各ＭＰＤＵは、マルチユーザ送信中の対応するメッセージをａｃｋｎｏｗｌｅするように機能する。ＭＰＤＵの各々は、ＭＰＤＵが確認応答しているメッセージを送信した特定のデバイスにアドレス指定され得る。Ａ−ＭＰＤＵが受信されると、各デバイスは、Ａ−ＭＰＤＵに含まれるＭＰＤＵのうちのいずれかが特定のデバイスにアドレス指定されるかを識別するためにＭＰＤＵの各々を復号し得る。あるＭＰＤＵが復号デバイスにアドレス指定される場合、該デバイスはこのＭＰＤＵがマルチユーザ送信のそれの部分を確認応答しているかどうかを決定し得る。
【００３４】
[0041]図１は、アクセスポイント及びユーザ端末を有するシステム１００を示す図である。簡略化のために、図１にはただ１つのアクセスポイント１１０が示される。アクセスポイントは、一般に、ユーザ端末と通信する固定局であり、基地局と呼ばれ得、又は他の何らかの用語を使用して呼ばれ得る。ユーザ端末又はＳＴＡは固定型でもよく、移動型でもよく、また、移動局又はワイヤレスデバイスとも呼ばれ得、或いは他の何らかの用語を使用して呼ばれ得る。アクセスポイント１１０は、ダウンリンク及びアップリンク上で所与の瞬間において１つ又は複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントに協調及び制御を提供する。
【００３５】
[0042]以下の開示の一部が空間分割多元接続（ＳＤＭＡ）を介して通信可能なユーザ端末１２０を記述する一方、いくつかの態様については、ユーザ端末１２０は、ＳＤＭＡをサポートしないいくつかのユーザ端末も含み得る。したがって、そのような態様については、ＡＰ１１０はＳＤＭＡユーザ端末及び非ＳＤＭＡユーザ端末の両方と通信するように構成され得る。このアプローチは、都合の良いことに、適切と考えられる場合により新しいＳＤＭＡユーザ端末が導入されることを可能にしながら、ＳＤＭＡをサポートしないより古いバージョンのユーザ端末（「レガシー」局）が企業に展開されたままであることを可能にして、それらの有効寿命を延長する。
【００３６】
[0043]システム１００は、ダウンリンク及びアップリンク上でのデータ送信のために複数の送信アンテナ及び複数の受信アンテナを使用する。アクセスポイント１１０はＮａｐ個のアンテナを装備し、ダウンリンク送信のための多入力（ＭＩ）及びアップリンク送信のための多出力（ＭＯ）を表現する。Ｋ個の選択されたユーザ端末１２０（又は局若しくはＳＴＡ）のセットは、共同で、ダウンリンク送信のための多出力及びアップリンク送信のための多入力を表現する。純粋なＳＤＭＡについては、Ｋ個のユーザ端末のためのデータシンボルストリームが、符号、周波数、又は時間で或いは何らかの手段で多重化されない場合、Ｎａｐ≦Ｋ≦１であることが望ましい。データシンボルストリームが、ＴＤＭＡ技法、ＣＤＭＡによる相違する符号チャネル、ＯＦＤＭによるサブバンドの独立セットなどを使用して多重化されることが可能な場合、ＫはＮａｐ超であり得る。各選択されたユーザ端末は、アクセスポイントにユーザ固有のデータを送信し得、及び／又はアクセスポイントからユーザ固有のデータを受信し得る。概して、各選択されたユーザ端末は、１つ又は複数のアンテナを装備し得る（すなわち、Ｎｕｔ≧１）。Ｋ個の選択されたユーザ端末は、同数のアンテナを有することが可能であり、又は１つ若しくは複数のユーザ端末は異なる数のアンテナを有し得る。
【００３７】
[0044]システム１００は、時分割複信（ＴＤＤ）システム又は周波数分割複信（ＦＤＤ）システムであり得る。ＴＤＤシステムの場合、ダウンリンク及びアップリンクは、同じ周波数帯を共用する。ＦＤＤシステムの場合、ダウンリンク及びアップリンクは、相違する周波数帯を使用する。システム１００はまた、送信のために単一のキャリア又は複数のキャリアを使用し得る。各ユーザ端末は、（例えば、コストを抑えるために）単一のアンテナを装備し得、（例えば、追加のコストがサポートされることが可能な場合）複数のアンテナを装備し得る。複数のユーザ端末１２０が送信／受信を相違するタイムスロットに分割することによって同じ周波数チャネルを共用する場合、システム１００はＴＤＭＡシステムでもあり得る。ここで、各タイムスロットは別のユーザ端末１２０に割り当てられ得る。
【００３８】
[0045]図２は、システム１００中のアクセスポイント１１０及び２つのユーザ端末１２０ｍ及び１２０ｘのブロック図を示す。アクセスポイント１１０はＮｔ個のアンテナ２２４ａ乃至２２４ａｐを装備する。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備する。アクセスポイント１１０は、ダウンリンクについての送信エンティティーであり、アップリンクについての受信エンティティーである。ユーザ端末１２０は、アップリンクについての送信エンティティーであり、ダウンリンクについての受信エンティティーである。本明細書で使用される、「送信エンティティー」は、ワイヤレスチャネルを介してデータを送信できる独立動作型の装置又はデバイスであり、「受信エンティティー」は、ワイヤレスチャネルを介してデータを受信できる独立動作型の装置又はデバイスである。以下の記述では、下付き文字「ｄｎ」はダウンリンクを表わし、下付き文字「ｕｐ」はアップリンクを表わし、Ｎｕｐ個のユーザ端末がアップリンク上での同時送信のために選択され、Ｎｄｎ個のユーザ端末がダウンリンク上での同時送信のために選択される。Ｎｕｐは、Ｎｄｎと等しくても等しくなくてもよく、Ｎｕｐ及びＮｄｎは静的な値であってもよいし、各スケジューリング間隔について変化してもよい。ビームステアリング又は他の何らかの空間処理技法が、アクセスポイント１１０及び／又はユーザ端末１２０において使用され得る。
【００３９】
[0046]アップリンク上では、アップリンク送信のために選択された各ユーザ端末１２０において、ＴＸデータプロセッサ２８８がデータソース２８６からトラフィックデータを受信し、コントローラ２８０から制御データを受信する。ＴＸデータプロセッサ２８８は、ユーザ端末のために選択されたレートと関連付けられる符号化及び変調スキームに基づいてユーザ端末のためのトラフィックデータを処理（例えば、符号化、インターリーブ、及び変調）し、データシンボルストリームを提供する。ＴＸ空間プロセッサ２９０は、データシンボルストリームに対して空間処理を実行し、Ｎｕｔ，ｍ個のアンテナのためのＮｕｔ，ｍ個の送信シンボルストリームを提供する。各送信器ユニット（ＴＭＴＲ）２５４は、アップリンク信号を生成するために、それぞれの送信シンボルストリームを受信及び処理（例えば、アナログに変換、増幅、フィルタ、及び周波数アップコンバート）する。Ｎｕｔ，ｍ個の送信器ユニット２５４は、例えばアクセスポイント１１０へ送信するために、Ｎｕｔ，ｍ個のアンテナ２５２からの送信のためのＮｕｔ，ｍ個のアップリンク信号を提供する。
【００４０】
[0047]Ｎｕｐ個のユーザ端末は、アップリンク上での同時送信に向けてスケジュールされ得る。これらのユーザ端末の各々は、自身のそれぞれのデータシンボルストリームに対して空間処理を実行し、アップリンク上で自身のそれぞれの送信シンボルストリームのセットをアクセスポイント１１０に送信し得る。
【００４１】
[0048]アクセスポイント１１０において、Ｎｕｐ個のアンテナ２２４ａ乃至２２４ａｐは、アップリンク上で送信するＮｕｐ個のユーザ端末全てからアップリンク信号を受信する。各アンテナ２２４は、受信された信号をそれぞれの受信器ユニット（ＲＣＶＲ）２２２へ提供する。各受信器ユニット２２２は、送信器ユニット２５４によって実行された処理と相補の処理を実行し、受信されたシンボルストリームを提供する。受信（ＲＸ）空間プロセッサ２４０は、Ｎｕｐ個の受信器ユニット２２２からのＮｕｐ個の受信されたシンボルストリームに対して受信器空間処理を実行し、Ｎｕｐ個の復元されたアップリンクデータシンボルストリームを提供する。受信器空間処理は、チャネル相関行列反転（ＣＣＭＩ：channel correlation matrix inversion）、最小平均２乗誤差（ＭＭＳＥ：minimum mean square error）、ソフト干渉波消去（ＳＩＣ：soft interference cancellation）、又は他の何らかの技法に従って実行され得る。各復元されたアップリンクデータシンボルストリームは、それぞれのユーザ端末によって送信されたデータシンボルストリームの推定値である。ＲＸデータプロセッサ２４２は、復号されたデータを得るために、各復元されたアップリンクデータシンボルストリームをそのストリームのために使用されたレートに従って処理（例えば、復調、デインタリーブ、及び復号）する。各ユーザ端末のための復号データは、記憶のためにデータシンク２４４へ提供され得、及び／又はさらなる処理のためにコントローラ２３０へ提供され得る。
【００４２】
[0049]ダウンリンク上では、アクセスポイント１１０において、ＴＸデータプロセッサ２１０が、ダウンリンク送信に向けてスケジュールされたＮｄｎ個のユーザ端末のためのデータソース２０８からトラフィックデータを、コントローラ２３０から制御データを、及び場合によってはスケジューラ２３４から他のデータを受信する。様々なタイプのデータが相違するトランスポートチャネル上で送信され得る。ＴＸデータプロセッサ２１０は、各ユーザ端末についてのトラフィックデータをそのユーザ端末のために選択されたレートに基づいて処理（例えば、符号化、インターリーブ、及び変調）する。ＴＸデータプロセッサ２１０は、Ｎｄｎ個のユーザ端末のためのＮｄｎ個のダウンリンクデータシンボルストリームを提供する。ＴＸ空間プロセッサ２２０は、Ｎｄｎ個のダウンリンクデータシンボルストリームに対して（プリコーディング又はビームフォーミングのような）空間処理を実行し、Ｎｕｐ個のアンテナのためのＮｕｐ個のシンボルストリームを提供する。各送信器ユニット２２２は、ダウンリンク信号を生成するために、それぞれの送信シンボルストリームを受信及び処理する。Ｎｕｐ個の送信器ユニット２２２は、例えばユーザ端末１２０へ送信するために、Ｎｕｐ個のアンテナ２２４からの送信のためにＮｕｐ個のダウンリンク信号を提供し得る。
【００４３】
[0050]各ユーザ端末１２０において、Ｎｕｔ，ｍ個のアンテナ２５２はアクセスポイント１１０からＮｕｐ個のダウンリンク信号を受信する。各受信器ユニット２５４は、関連するアンテナ２５２からの受信された信号を処理し、受信されたシンボルストリームを提供する。ＲＸ空間プロセッサ２６０は、Ｎｕｔ，ｍ個の受信器ユニット２５４からのＮｕｔ，ｍ個の受信されたシンボルストリームに対して受信器空間処理を実行し、ユーザ端末１２０のための復元されたダウンリンクデータシンボルストリームを提供する。受信器空間処理は、ＣＣＭＩ、ＭＭＳＥ、又は他の何らかの技法に従って実行され得る。ＲＸデータプロセッサ２７０は、ユーザ端末のための復号されたデータを得るために、復元されたダウンリンクデータシンボルストリームを処理（例えば、復調、デインタリーブ、及び復号）する。
【００４４】
[0051]各ユーザ端末１２０において、チャネル推定器２７８は、ダウンリンクチャネル応答を推定し、チャネル利得推定値、信号対雑音比（ＳＮＲ）推定値、ノイズ分散などを含み得るダウンリンクチャネル推定値を提供する。同様に、チャネル推定器２２８は、アップリンクチャネル応答を推定し、アップリンクチャネル推定値を提供する。各ユーザ端末のためのコントローラ２８０は、典型的には、ユーザ端末のための空間フィルタ行列を、そのユーザ端末のためのダウンリンクチャネル応答行列Ｈｄｎ，ｍに基づいて導出する。コントローラ２３０は、実効アップリンクチャネル応答行列Ｈｕｐ，ｅｆｆに基づいて、アクセスポイントについての空間フィルタ行列を導出する。各ユーザ端末のためのコントローラ２８０は、アクセスポイント１１０へフィードバック情報（例えば、ダウンリンク固有ベクトル及び／又はアップリンク固有ベクトル、固有値、ＳＮＲ推定値など）を送り得る。コントローラ２３０及び２８０はまた、それぞれ、アクセスポイント１１０及びユーザ端末１２０での様々な処理ユニットの動作を制御し得る。
【００４５】
[0052]図３は、システム１００内で用いられ得るワイヤレスデバイス３０２中で利用され得る様々なコンポーネントを示す。ワイヤレスデバイス３０２は、本明細書で記述される様々な方法を実施するように構成され得るデバイスの例である。ワイヤレスデバイス３０２は、アクセスポイント１１０又はユーザ端末１２０を実装し得る。
【００４６】
[0053]ワイヤレスデバイス３０２は、ワイヤレスデバイス３０２の動作を制御するプロセッサ３０４を含み得る。プロセッサ３０４は、中央処理装置（ＣＰＵ）とも呼ばれ得る。読み取り専用メモリ（ＲＯＭ）及びランダムアクセスメモリ（ＲＡＭ）の両方を含み得るメモリ３０６は、プロセッサ３０４に命令及びデータを提供する。メモリ３０６の一部は不揮発性ランダムアクセスメモリ（ＮＶＲＡＭ）も含み得る。プロセッサ３０４は、メモリ３０６内に記憶されたプログラム命令に基づいて論理演算及び算術演算を実行し得る。メモリ３０６中の命令は、本明細書で記述される方法を実施するように実行可能であり得る。
【００４７】
[0054]プロセッサ３０４は、１つ又は複数のプロセッサにより実装される処理システムを備え得、又はそのような処理システムのコンポーネントであり得る。１つ又は複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲーテッドロジック、ディスクリート型ハードウェアコンポーネント、専用ハードウェア有限ステートマシン、又は情報の計算又は他の操作を実行できる任意の他の適切なエンティティーの任意の組合せにより実装され得る。
【００４８】
[0055]処理システムは、ソフトウェアを記憶するための機械可読媒体も含み得る。ソフトウェアは、ソフトウェア、ファームウェア、ミドルウェア、マイクロコード、ハードウェア記述言語と呼ばれようとそうでなかろうと、任意のタイプの命令（instructions）を意味すると広く解釈されるべきである。命令は（例えばソースコードフォーマット、バイナリコードフォーマット、実行可能コードフォーマット、又は他の適切なコードのフォーマットの）コードを含み得る。命令は、１つ又は複数のプロセッサによって実行されると、処理システムに、本明細書で記述される様々な機能を実行させる。
【００４９】
[0056]ワイヤレスデバイス３０２は、ワイヤレスデバイス３０２と遠隔位置との間のデータの送受信を可能にするための、送信器３１０及び受信器３１２を含み得る筐体３０８も含み得る。送信器３１０及び受信器３１２は、送受信器３１４へと組み合わせられ得る。単一又は複数の送受信器アンテナ３１６は、筐体３０８に取り付けられ得、また送受信器３１４に電気的に結合され得る。ワイヤレスデバイス３０２はまた、複数の送信器、複数の受信器、及び複数の送受信器を含み得る（図示せず）。
【００５０】
[0057]ワイヤレスデバイス３０２はまた、送受信器３１４によって受信される信号のレベルを検出し量子化する目的で使用され得る信号検出器３１８を含み得る。信号検出器３１８は、総エネルギー、シンボルごとのサブキャリア当たりのエネルギー、電力スペクトル密度、及び他の信号のような信号を検出し得る。ワイヤレスデバイス３０２はまた、信号の処理において使用されるデジタル信号プロセッサ（ＤＳＰ）３２０を含み得る。
【００５１】
[0058]ワイヤレスデバイス３０２の様々なコンポーネントは、バスシステム３２２によって相互に結合され得、バスシステム３２２は、データバスに加えて、電力バス、制御信号バス、及びステート信号バスを含み得る。
【００５２】
[0059]本開示のある態様は複数のＳＴＡからＡＰへアップリンク（ＵＬ）信号を送信することをサポートする。いくつかの実施形態では、ＵＬ信号は、マルチユーザ多入力多出力（ＭＩＭＯ）（ＭＵ−ＭＩＭＯ）システムにおいて送信され得る。代替的に、ＵＬ信号は、マルチユーザＦＤＭＡ（ＭＵ−ＦＤＭＡ）システム又は同様のＦＤＭＡシステムにおいて送信され得る。具体的には、図４乃至図８及び図１０は、ＵＬ−ＦＤＭＡ送信に等しく当てはまるＵＬ−ＭＵ−ＭＩＭＯ送信４１０Ａ、４１０Ｂ、１０５０Ａ、及び１０５０Ｂを示す。これらの実施形態では、ＵＬ−ＭＵ−ＭＩＭＯ送信又はＵＬ−ＦＤＭＡ送信は、複数のＳＴＡからＡＰに同時に送信されることが可能であり、ワイヤレス通信における効率性を生み出し得る。
【００５３】
[0060]ますます多くのワイヤレス及びモバイルデバイスが、ワイヤレス通信システムに対して要求される帯域幅要件にますます重きを置く。通信リソースが制限される場合、ＡＰと複数のＳＴＡとの間を通るトラフィックの量を減じることが望ましい。例えば、複数の端末がアクセスポイントへアップリンク通信を送信するときには、全ての送信のアップリンクを完了するためのトラフィックの量を最小限に抑えることが望ましい。したがって、本明細書で記述される実施形態は、ＡＰへのアップリンク送信のスループットを高めるための通信のやりとり、スケジューリング、及びあるフレームを利用することをサポートする。
【００５４】
[0061]図４は、ＵＬ通信のために使用され得るＵＬ−ＭＵ−ＭＩＭＯ又はＵＬ−ＯＦＤＭＡプロトコル４００の例を示す時間シーケンス図である。図１とともに図４に示されるように、ＡＰ１１０は、どのＳＴＡがアップリンクに参加し得るかを示すクリアツートランスミット（ＣＴＸ）メッセージ４０２をユーザ端末１２０ａ乃至１２０ｂに送信し得、こうして、ある特定のＳＴＡがアップリンク送信を開始することを知る。いくつかの実施形態では、ＣＴＸメッセージは、物理層コンバージェンスプロトコル（ＰＬＣＰ）プロトコルデータユニット（ＰＰＤＵ）のペイロード部分中で送信さ得る。ＣＴＸフレーム構造の例は、図５を参照して下でより完全に記述される。
【００５５】
[0062]一旦ユーザ端末１２０がそのユーザ端末がリストされるＡＰ１１０からのＣＴＸメッセージ４０２を受信すると、そのユーザ端末はＵＬ−ＭＵ−ＭＩＭＯ送信４１０を送信し得る。図４において、ＳＴＡ１２０Ａ及びＳＴＡ１２０Ｂは、物理層コンバージェンスプロトコル（ＰＬＣＰ）プロトコルデータユニット（ＰＰＤＵ）を含んだＵＬ−ＭＵ−ＭＩＭＯ送信４１０Ａ及び４１０Ｂを送信する。ＵＬ−ＭＵ−ＭＩＭＯ送信４１０を受信すると、ＡＰ１１０は、ユーザ端末１２０にブロック確認応答（ＢＡ）４７０を送信し得る。ブロック確認応答（ＢＡ）４７０の一例については、以下で図６を参照してより詳細に説明する。
【００５６】
[0063]上述のように、ＣＴＸメッセージ４０２は、様々な通信において使用され得る。図５は、ＣＴＸフレーム５００構造の例の図である。この実施形態では、ＣＴＸフレーム５００は、フレーム制御（ＦＣ）フィールド５０５、持続時間フィールド５１０、送信器アドレス（ＴＡ）フィールド５１５、制御（ＣＴＲＬ）フィールド５２０、ＰＰＤＵ持続時間フィールド５２５、ＳＴＡ情報（情報）フィールド５３０、及びフレームチェックシーケンス（ＦＣＳ）フィールド５８０を含んだ制御フレームである。フレーム制御（ＦＣ）フィールド５０５は、制御サブタイプ又は拡張サブタイプを示す。持続時間フィールド５１０は、ＣＴＸフレーム５００の任意の受信器にネットワーク割当てベクトル（ＮＡＶ）を設定することを示す。ＴＡフィールド５１５は、送信器アドレス又は基本サービスセット識別子（ＢＳＳＩＤ）を示す。ＣＴＲＬフィールド５２０は、フレームの残りの部分のフォーマットに関する情報（例えば、ＳＴＡ情報フィールドの数、及びＳＴＡ情報フィールド内の任意のサブフィールドの有無）、ユーザ端末１２０のためのレート適合についてのインジケーション、許可されるトラフィック識別子（ＴＩＤ）のインジケーション、及びクリアツーセンド（ＣＴＳ）がクリアツートランスミット（ＣＴＸ）フレーム５００の直後に送られねばならないことのインジケーションを含み得る一般的なフィールドである。レート適合のためのインジケーションは、ＳＴＡがシングルユーザ送信において使用していたであろう変調及び符号化スキーム（ＭＣＳ）と比較して、ＳＴＡがそれらのＭＣＳをどれほど低下させなければならないかを示す数のような、データレート情報を含み得る。ＣＴＲＬフィールド５２０はまた、ＣＴＸフレーム５００がＵＬ  ＭＵ  ＭＩＭＯのために使用されているか、ＵＬ  ＦＤＭＡのために使用されているか、又はその両方のために使用されているかを示し得、Ｎｓｓ又はトーン割当てフィールドがＳＴＡ情報フィールド５３０中にあるかを示す。
【００５７】
[0064]代替的に、ＣＴＸがＵＬ  ＭＵ  ＭＩＭＯのためのものか又はＵＬ  ＦＤＭＡのためのものかのインジケーションは、サブタイプの値に基づくことが可能である。使用される空間ストリーム及び使用されるチャネルの両方をＳＴＡに対して指定することによって、ＵＬ  ＭＵ  ＭＩＭＯ及びＵＬ  ＦＤＭＡ動作が一緒（jointly）に実行されることが可能であることに留意されたい。その場合、両方のフィールドがＣＴＸの中にあり、この場合、Ｎｓｓインジケーションは特定トーン割当てと呼ばれる。ＰＰＤＵ持続時間フィールド５２５は、ユーザ端末１２０が送ることを許可される後続のＵＬ−ＭＵ−ＭＩＭＯ  ＰＰＤＵの持続時間を示す。ＳＴＡ情報フィールド５３０は、特定のＳＴＡに関する情報を含み、ＳＴＡごと（ユーザ端末１２０ごと）の情報のセットを含み得る（ＳＴＡ情報１  ５３０及びＳＴＡ情報Ｎ  ５７５を参照されたい）。ＳＴＡ情報５３０フィールドは、ＳＴＡを識別する関連識別子（ＡＩＤ）又は媒体アクセス制御（ＭＡＣ）アドレスフィールド５３２、ＳＴＡが（ＵＬ−ＭＵ−ＭＩＭＯシステム中で）使用し得る空間ストリームの数を示す空間ストリーム数フィールド（Ｎｓｓ）フィールド５３４、ＳＴＡがトリガーフレーム（この場合はＣＴＸ）の受信と比較してそれの送信を調整するべき時間を示す時間調整５３６フィールド、公表された送信電力からＳＴＡが取るべき電力バックオフを示す電力調整５３８フィールド、ＳＴＡが（ＵＬ−ＦＤＭＡシステム中で）使用し得るトーン又は周波数を表示するトーン割当て５４０フィールド、許容可能なＴＩＤを示す許可ＴＩＤ５４２フィールド、許可されるＴＸモードを示す許可ＴＸモード５４４フィールドを含み得る。いくつかの実施形態では、許可されるＴＸモードは、ショート／ロングガードインターバル（ＧＩ）又はサイクリックプレフィックスモード、バイナリ畳込符号（ＢＣＣ）／低密度パリティチェック（ＬＤＰＣ）モード（一般に、コーディングモード）、又は時空間ブロックコーディング（ＳＴＢＣ）モードを含み得る。ＳＴＡ情報フィールド５３０はまた、ＳＴＡが使用するべきＭＣＳを示すＭＣＳ５４６フィールド、及びＳＴＡがアップリンクデータの送信を開始又は始めるための時間レファレンスを示すＴＸ開始時刻フィールド５４８を含み得る。ＳＴＡ情報フィールド５３０はまた、確認応答時間レファレンスフィールド５５０を含み得る。確認応答時間レファレンスフィールド５５０は、フレーム５００に続く送信の確認応答が確認応答され得る時間を示し得る。
【００５８】
[0065]図６は、非制限的例となる、アグリゲートされた媒体アクセス制御（ＭＡＣ）プロトコルデータユニット（Ａ−ＭＰＤＵ）確認応答フレーム６００構造の図である。いくつかの態様では、図４に示されるブロック確認応答４７０は、Ａ−ＭＰＤＵ確認応答フレーム６００のフォーマットに実質的に準拠（conform）し得る。
【００５９】
[0066]非制限的例となるＡ−ＭＰＤＵ確認応答フレーム６００は、物理層プリアンブル６０２、ＭＰＤＵデリミタフィールド６０４ａ乃至６０４ｄ、及びブロック確認応答ＭＰＤＵ６０６ａ乃至６０６ｄを含む。ＭＰＤＵデリミタフィールド６０４ａ乃至６０４ｄの各々は、ＥＯＦフィールド６１０、予約済みフィールド６１２、ＭＰＤＵ長さ拡張フィールド６１４、ＭＰＤＵ長さフィールド６１６、巡回冗長検査フィールド６１８、及びデリミタ署名フィールド６１９を含み得る。図６に示されるＭＰＤＵデリミタフォーマットは、ＭＰＤＵデリミタフィールド６０４ａ乃至６０４ｄの単なる１つの可能な例である。例えば、いくつかの実装形態では、ＭＰＤＵデリミタフィールド６０４ａ乃至６０４ｄはＭＰＤＵ長さ拡張フィールド６１４を含まない場合がある。
【００６０】
[0067]ブロック確認応答メッセージ６０６ａ乃至６０６ｄの例となるフォーマットも示される。いくつかの態様では、ブロック確認応答ＭＰＤＵの６０６ａ乃至６０６ｄは、フレーム制御フィールド６２０、持続時間フィールド６２２、受信器アドレスフィールド６２４、送信器アドレスフィールド６２６、ブロック確認応答制御フィールド６２８、ブロック確認応答情報フィールド６３０、及びフレームチェックシーケンスフィールド６３２を含み得る。いくつかの態様では、受信器アドレスフィールド６２４は、それの送信がブロック確認応答メッセージ６０６ａ乃至６０６ｄによって確認応答されているデバイスを識別し得る。他の実装形態は、図６に示される例とは異なるブロック確認応答フォーマットを利用し得る。
【００６１】
[0068]図４に関して上述したように、いくつかの態様では、送信機会（ＴＸＯＰ）オーナーは、図４に示されるマルチユーザ送信４１０Ａ乃至４１０Ｂのようなマルチユーザ送信を確認応答するために例示的なＡ−ＭＰＤＵ確認応答フレーム６００を生成及び送信し得る。例えば、Ａ−ＭＰＤＵ６００中の第１ブロック確認応答（例えば、ブロック確認応答６０６ａ）は、受信器アドレスフィールド６２４を介してＳＴＡ１２０Ａを識別し得る。例えば、ブロック確認応答６０６ａの受信器アドレスフィールド６２４は、ＳＴＡ１２０Ａ媒体アクセス制御アドレスを示すことによって、ＳＴＡ１２０Ａを識別し得る。Ａ−ＭＰＤＵ確認応答フレーム６００内の第２ブロック確認応答、例えばブロック確認応答６０６ｂは、ＳＴＡ１２０Ｂからの送信を確認応答し得る。これは、部分的には、ブロック確認応答６０６ｂの受信器アドレスフィールド６２４中でＳＴＡ１２０Ｂを識別することによって達成され得る。Ａ−ＭＰＤＵ確認応答フレーム６００が図４において示されるマルチユーザ送信４１０Ａ乃至４１０Ｂを確認応答するために使用されるときには、図４が例示的なマルチユーザ送信４１０Ａ乃至４１０Ｂの間にただ２つの装置だけが送信することを示すので、ＭＰＤＵデリミタフィールド６０４ｃ乃至６０４ｄ及びブロック確認応答フィールド６０６ｃ乃至６０６ｄは存在しない場合がある。マルチユーザ送信中にさらなるデバイスを含んだ、例えば３、４、５、６、７、８、又はそれを超えるデバイスがマルチユーザ送信に参加する他の実装形態では、Ａ−ＭＰＤＵ確認応答フレーム６００は、ＭＰＤＵデリミタフィールド６０４、及びマルチユーザ送信に参加するさらなる装置の各々を識別するブロック確認応答６０６を含み得る。ｐｈｙプリアンブル６０２は、いくつかの態様においてスクランブラシードフィールド６５１を含み得る。これらの態様のうちのいくつかでは、スクランブラシードフィールドは、開示される実施形態に関連する情報を通信するために使用され得る。例えば、以下でより詳細に説明するように、スクランブラシードフィールド６５１は、Ａ−ＭＰＤＵ６００が複数のデバイスにアドレス指定されるＭＰＤＵのを含むかどうかのインジケーションを格納するために使用され得る。
【００６２】
[0069]図７は、本明細書で記述されるある実施形態に従ったワイヤレス通信のための例示的なプロセス７００のフローチャートである。いくつかの態様では、プロセス７００は、ワイヤレスデバイス３０２によって実行され得る。例えば、いくつかの態様では、メモリ３０６は、プロセッサ３０４によって実行されるとプロセッサ３０４に下で記述されるプロセス７００の１つ又は複数の態様を実行させる命令を記憶し得る。いくつかの態様では、プロセス７００は、送信機会オーナーデバイスによって実行される。例えば、図４に示されるＣＴＸフレーム４０２及びブロック確認応答４７０を送信する送信機会オーナーデバイスは、いくつかの態様においてプロセス７００を実行し得る。
【００６３】
[0070]プロセス７００は、送信に参加する複数のデバイスを確認応答するために複数のユーザからの送信（例えば、いくつかの態様におけるマルチユーザ送信）の受信器についての一実装形態を提供する。いくつかの態様では、マルチユーザ送信は、マルチユーザ送信がある特定の長さ以上である場合に、最も有益であり得る。特定の長さ未満では、マルチユーザ送信の実行において、利益はより少なくなり得る。確認応答メッセージが長さにおいてより短い傾向にあり、したがってマルチユーザ送信を使用した送信が効率で劣り得る場合、いくつかの態様において、受信されるマルチユーザ送信を確認応答するためにマルチユーザ送信を使用する代わりに、Ａ−ＭＰＤＵを介してマルチユーザ通信に参加している複数のデバイスに複数のブロック確認応答を送信することがより効率的であり得る。他のいくつかの態様では、個別の異なるユーザからの個別の送信も、下で記述されるＡ−ＭＰＤＵを介して確認応答され得る。
【００６４】
[0071]オプションのブロック７０５において、複数のユーザからの２つ以上の送信が受信される。いくつかの態様では、この１つ又は複数の送信は、複数のユーザから複数のメッセージを同時に送信するためにＭＵ−ＭＩＭＯ又はＯＦＤＭＡを使用する送信のようなマルチユーザ送信の形態にある。いくつかの態様では、２つ以上の送信（例えばマルチユーザ送信）は、複数のデバイス、例えば局からのアップリンク送信である。２つ以上の送信は、少なくとも第１デバイスからの第１メッセージ及び第２デバイスからの第２メッセージを含み得る。いくつかの態様では、第１メッセージ及び第２メッセージは、マルチユーザ送信の一部として少なくとも部分的に、同時に送信及び受信され得る。いくつかの態様では、プロセス７００に関して説明される第１及び第２メッセージは、図４に関して上述したメッセージ４１０Ａ乃至４１０Ｂに対応し得る。プロセス７００のいくつかの実施形態は、第１及び第２メッセージの受信を含まないことがある。
【００６５】
[0072]いくつかの態様では、２つ以上の送信は、アクセスポイントのようなＴＸＯＰオーナーデバイスによって受信される。いくつかの態様では、第１及び第２デバイスは、マルチユーザ送信の間に送信機会オーナーにアップリンクデータを送る。いくつかの態様では、マルチユーザ送信は、マルチユーザ多入力多出力（ＭＵ−ＭＩＭＯ）又は直交周波数分割多重化（ＯＦＤＭ）を使用して受信される。マルチユーザメッセージは、少なくとも一部には、受信器３１２のような受信器からデータを読むことによって、受信され得る。例えば、いくつかの態様では、プロセッサ３０４は、ブロック７０５を達成するために受信器３０４からデータを受信し得る。いくつかの態様では、ブロック７０５に関して説明される機能の１つ以上は、受信器３１２及び／又はプロセッサ３０４によって実行され得る。
【００６６】
[0073]いくつかの態様では、２つ以上の送信が受信される前に、トリガメッセージが生成され、ワイヤレスネットワーク上で送信される。トリガメッセージは、タイミング情報を備え得、そうでなければ、ブロック７０５において受信される２つ以上の送信が少なくとも第１及び第２デバイスによっていつ開始されるべきかを示し得る。例えば、送信がいつ開始されるべきかについてのタイミング情報は、いくつかの態様において、図５に示されるＣＴＸメッセージ５００の「ＴＸ開始時間」フィールド５４８中で示され得る。いくつかの態様では、トリガメッセージは、２つ以上の送信についての確認応答がいつ予想されるかのインジケーションを含むように生成され得る。例えば、トリガメッセージは、確認応答のための時間レファレンスを含むように生成され得る。例えば、いくつかの態様では、確認応答のための時間レファレンスは、図５に示される確認応答時間レファレンスフィールド５５０である。いくつかの態様では、トリガメッセージは、図４に関して上述したＣＴＸメッセージ４０２のようなＣＴＸメッセージである。他のいくつかの態様では、トリガメッセージはＣＴＸメッセージ４０２とは別個のメッセージである。
【００６７】
[0074]ブロック７２０において、少なくとも第１及び第２ＭＰＤＵを含むように、アグリゲートされた媒体アクセス制御プロトコルデータユニット（Ａ−ＭＰＤＵ）が生成される。いくつかの態様では、Ａ−ＭＰＤＵは上述したＴＸＯＰオーナーデバイスによって生成される。第１ＭＰＤＵは、第１ＭＰＤＵのフレーム制御フィールド中の特定の値を介して第１メッセージの受信を確認応答し得る。いくつかの態様では、第１ＭＰＤＵは、図６に関して上述した、ＭＰＤＵ６０６ａ乃至６０６ｄのフォーマットに実質的に準拠（conform）し得る。例えば、第１ＭＰＤＵのフレーム制御フィールドは、第１ＭＰＤＵがいくつかの態様における確認応答又はブロック確認応答であることを示し得る。いくつかの態様では、第１ＭＰＤＵは、例えば第１デバイスのユニキャスト媒体アクセス制御アドレスを示すことによって、第１デバイスを識別する宛先アドレスフィールド又は受信器アドレスフィールドを含む。加えて、フレーム制御フィールドは、第１ＭＰＤＵが確認応答フレーム又はブロック確認応答フレームであることを示し得る。いくつかの態様では、ブロック７１０に関して説明される機能の１つ又は複数は、プロセッサ３０４によって実行され得る。
【００６８】
[0075]第２媒体アクセス制御プロトコルデータユニット（ＭＰＤＵ）は、第２メッセージの受信を確認応答する。第２ＭＰＤＵは、フレーム制御フィールド中で特定の値を有することによって第２メッセージを確認応答し得る。いくつかの態様では、第２ＭＰＤＵは、図６に関して上述した、ＭＰＤＵ６０６ａ乃至６０６ｄのフォーマットに実質的に準拠し得る。例えば、第２ＭＰＤＵのフレーム制御フィールドは、第２ＭＰＤＵがいくつかの態様における確認応答又はブロック確認応答であることを示し得る。いくつかの態様では、第２ＭＰＤＵは、例えば第２デバイスの媒体アクセス制御アドレスを示すことによって、第２デバイスを識別するユニキャスト宛先アドレスフィールド又は受信器アドレスフィールドを含む。
【００６９】
[0076]いくつかの態様では、Ａ−ＭＰＤＵを生成することは、少なくとも第１及び第２ＭＰＤＵのためのデータを記憶する上述したメモリエリアを、Ａ−ＭＰＤＵを表すメモリのエリアへコピーすることを含み得る。他のいくつかの態様では、第１及び第２ＭＰＤＵの各々は、Ａ−ＭＰＤＵフォーマットと整合性のあるメモリのエリア中で生成され得、したがって、データをコピーする必要はない。いくつかの態様では、Ａ−ＭＰＤＵを生成することは、コンピュータメモリ中にさらなるＡ−ＭＰＤＵフィールドを設定することを含み得る。いくつかの態様では、ブロック７２０において生成されるＡ−ＭＰＤＵは、図６に関して上述したＡ−ＭＰＤＵ６００のフォーマットに実質的に準拠し得る。例えば、Ａ−ＭＰＤＵを生成することは、少なくとも、図６に示されるようなＭＰＤＵデリミタフィールド６０４ａ乃至６０４ｂを初期化することを含み得る。
【００７０】
[0077]いくつかの態様では、Ａ−ＭＰＤＵはこのＡ−ＭＰＤＵが少なくとも２つの相違するデバイスに向けられる又はアドレス指定しているＭＰＤＵを含むかどうかを示すように生成される。いくつかの態様では、ＥＯＦフィールド６１０及び／又は予約済みフィールド６１２の１つ又は複数がインジケータとして機能し得る。例えば、いくつかの態様では、Ａ−ＭＰＤＵ中の（６０４ａのような）第１ＭＰＤＵデリミタは、インジケータとして機能し得る、ＥＯＦフィールド及び／又は予約済みフィールド６１２を含み得る。いくつかの態様では、典型的には物理ヘッダ６０２中のスクランブラシードフィールド６５１が、インジケータ値を格納するために使用され得る。Ａ−ＭＰＤＵが第１デバイスにアドレス指定される第１ＭＰＤＵ及び第２デバイスにアドレス指定される第２ＭＰＤＵを含むので、いくつかの態様では、Ａ−ＭＰＤＵを生成するデバイスは、インジケータを第１値（例えばイチ（１））に設定し得る。生成されるＡ−ＭＰＤＵがただ１つのＭＰＤＵを含むか、同じデバイスに向けられたＭＰＤＵだけを含んでいる他のケースでは、生成するデバイスは、インジケータを第２値（例えばゼロ（０））に設定し得る。いくつかの態様では、ブロック７２０に関して説明される機能の１つ又は複数は、プロセッサ３０４によって実行され得る。
【００７１】
[0078]いくつかの態様では、１つ又は複数のさらなるＭＰＤＵが、送信機会オーナーデバイスによって生成され、Ａ−ＭＰＤＵ中に含められ得る。例えば、ブロック７０５において受信されるマルチユーザ送信が、３、４、５、６、７、８、又はそれを超えるデバイスからのメッセージを含んでいた場合、ブロック７２０において生成されるＡ−ＭＰＤＵは、各メッセージに対応するＭＰＤＵ（例えば３、４、５、６、７、８、又はそれを超えるＭＰＤＵ）を含み得、各ＭＰＤＵはメッセージのうちの１つを確認応答する。
【００７２】
[0079]ブロック７２５において、ブロック７２０において生成されたＡ−ＭＰＤＵは、ワイヤレスネットワーク上で送信される。いくつかの態様では、Ａ−ＭＰＤＵを送信することは、ネットワーク送信ＡＰＩを呼び出すことと、ＡＰＩに、少なくとも、Ａ−ＭＰＤＵ全体として、並びに第１及び第２ＭＰＤＵのフィールド値への上記で初期化されたメモリのコピー、又はそれへのポインタを提供することと、を含み得る。
【００７３】
[0080]いくつかの態様では、ブロック７２５において送信されるＡ−ＭＰＤＵは、図４に関して説明されるブロック確認応答４７０に対応する。いくつかの態様では、ブロック７２５に関して説明される機能の１つ又は複数は、図３の送信器３１０によって実行され得る。代替的に、ブロック７２５に関して上述した機能の１つ又は複数は、プロセッサ３０４によって実行され得る。
【００７４】
[0081]図８は、本明細書で記述されるある実施形態に従ったワイヤレス通信のための例示的なプロセス８００のフローチャートである。いくつかの態様では、プロセス８００はワイヤレスデバイス３０２によって実行され得る。例えば、いくつかの態様では、メモリ３０６は、プロセッサ３０４をプロセス８００の１つ又は複数の態様を実行するように構成する命令を記憶し得る。いくつかの態様では、プロセス８００は、送信機会の間に送信機会オーナーと通信するデバイスによって実行される。例えば、（例えば、ＭＵ−ＭＩＭＯ又はＯＦＤＭを使用して）マルチユーザ送信の一部として送信機会オーナーにデータを送信するデバイスが、プロセス８００を実行し得る。
【００７５】
[0082]プロセス８００は、メッセージの送信器がメッセージ送信の確認応答を取得することを可能にし得る。いくつかの態様では、マルチユーザ送信は、マルチユーザ送信がある特定の長さ以上であるときに最も有益であり得る。特定の長さ未満では、マルチユーザ送信を実行する際の利益はより少なくなり得る。確認応答メッセージが長さにおいてより短い傾向にあり、したがってマルチユーザ送信を使用した送信が効率で劣り得る場合、いくつかの態様において、マルチユーザ送信を確認応答するためにマルチユーザ送信を使用する代わりに、Ａ−ＭＰＤＵを介してマルチユーザ通信に参加している複数のデバイスに複数のブロック確認応答を送信することがより効率的であり得る。
【００７６】
[0083]オプションのブロック８０５において、メッセージは第１デバイスによって第２デバイスに送信される。いくつかの態様では、第２デバイスは、アクセスポイントであり得る。いくつかの態様では、第２デバイスは、送信機会オーナーであり得る。いくつかの態様では、送信されるメッセージはマルチユーザ送信の一部である。例えば、メッセージは、第３デバイスからの第２メッセージと少なくとも部分的に同時並行（concurrently）に送信され得る。第２メッセージはまた、第３デバイスによって第２デバイスに送信され得る。例えば、ブロック８０５において送信されるメッセージは、図４に関して説明された、ユーザ端末１２０Ａ乃至１２０Ｂそれぞれによって送信されるメッセージ４１０Ａ又はメッセージ４１０Ｂのいずれかに対応し得る。いくつかの態様では、メッセージは、マルチユーザ多入力多出力（ＭＵ−ＭＩＭＯ）又は直交周波数分割多重化（ＯＦＤＭ）を使用して送信される。メッセージの送信は、いくつかの態様ではブロック８０５又はプロセス８００全体の一部ではないことがある。プロセス８００のいくつかの態様は、第２デバイスへのメッセージの送信を含まないかもしれない。
【００７７】
[0084]いくつかの態様では、ＭＵ−ＭＩＭＯ又はＯＦＤＭ送信を実行するのに必要な空間チャネル及び／又は周波数割当てのような制御情報は、第２デバイスから受信され得る。例えば、いくつかの態様では、第１デバイスは、制御情報を示す第２デバイスから別のメッセージを受信し得る。いくつかの態様では、このメッセージは、図４に関して上述したＣＴＸメッセージ４０２及び／又は図５で説明されるメッセージ５００のようなＣＴＸメッセージであり得る。他のいくつかの態様では、この別のメッセージは、いつブロック８０５の送信が開始されるべきかを示すタイミング情報を提供するトリガメッセージであり得、及び／又は、どのように送信が実行されるべきかを定義する（送信のための空間チャネル又は周波数割当てのような）制御情報を含み得る。例えば、この別のメッセージはＴＸ開始時間フィールド５４８を含み得、ＴＸ開始時刻フィールド５４８は、メッセージの送信がいつ開始されるべきかについての時間レファレンスを提供する。いくつかの態様では、制御情報は、ブロック８０５において送信されるメッセージについての確認応答がいつ予想されるかのインジケーションを含む。例えば、いくつかの態様では、メッセージは、図５に示される確認応答時間レファレンスフィールド５５０を含み得る。いくつかの態様では、第１デバイスは、タイミングインジケーションに基づいてスリープステートに入り得る。いくつかの態様では、スリープステートはアグリゲートされた媒体アクセス制御プロトコルデータユニットを受信する前に入られ得る。例えば、いくつかの態様では、制御情報は、ブロック８０５において送信されるメッセージについての確認応答がいつ予想されるべきかについての時間レファレンスを含み得る。第１デバイスは、制御情報に応答してスリープステートに入り得、制御情報によって示される時間に確認応答を受信できるようにアウェイクステートに戻り得る。
【００７８】
[0085]いくつかの態様では、第２デバイスにメッセージを送信することは、メッセージの宛先アドレスを第２デバイスを識別するアドレス（例えば第２デバイスの局アドレス）に設定すること、及びメッセージを送信するためにネットワーク「送信（send）」ＡＰＩのようなアプリケーションプログラミングインターフェース（ＡＰＩ）を呼び出すことを含む。いくつかの態様では、ブロック８０５に関して上述した機能の１つ又は複数は、送信器３１０及び／又はプロセッサ３０４によって実行され得る。
【００７９】
[0086]ブロック８１０において、アグリゲートされた媒体アクセス制御プロトコルデータユニット（Ａ−ＭＰＤＵ）が、第２デバイスから受信される。いくつかの態様では、ブロック８１０において受信されるＡ−ＭＰＤＵは、図４に関して上で記述されるブロック確認応答４７０を含み得る。いくつかの態様では、Ａ−ＭＰＤＵを受信することは、プロセッサ３０４を介して受信器３１２からメモリ３０６にＡ−ＭＰＤＵを備えるデータを転送することを含み得る。いくつかの態様では、ブロック８１０に関して上述した機能の１つ又は複数は、受信器３１２及び／又はプロセッサ３０４によって実行され得る。
【００８０】
[0087]ブロック８１５において、Ａ−ＭＰＤＵが、第１デバイスによって復号される。いくつかの態様では、復号は２つ以上の媒体アクセス制御プロトコルデータユニット（ＭＰＤＵ）を識別し得る。いくつかの態様では、２つ以上の媒体アクセス制御プロトコルデータユニットを識別するためにＡ−ＭＰＤＵを復号することは、図６のデリミタフィールド６０４ａ乃至６０４ｄの任意の１つ又は複数のようなＭＰＤＵデリミタを識別するためにＡ−ＭＰＤＵを解析（parsing）することを含み得る。復号はまた、図６に示されるＭＰＤＵ６０６ａ乃至６０６ｄのうちのいずれかのフォーマットのようなＭＰＤＵのフォーマットに基づいて、識別されたデリミタに続くデータを解析することを含み得る。
【００８１】
[0088]ＭＰＤＵは、ＭＰＤＵの各々が第１デバイスを識別するかどうかを決定するために少なくとも一部、復号される。例えば、ＭＰＤＵのは、それらがＭＰＤＵの宛先アドレス又は受信器アドレスフィールド中に第１デバイスの局アドレスを含む場合、第１デバイスを識別し得る。いくつかの態様では、復号されたＭＰＤＵは各々、図６に関して上述したＭＰＤＵ６０６ａ乃至６０６ｄに実質的に準拠し得る。例えば、受信器アドレスフィールド６２４のようなＭＰＤＵの各々の受信器アドレスフィールドは、受信器アドレスフィールドが第１デバイスを識別するデータを含むかどうかを決定するために復号され得る。例えば、受信器アドレスフィールドは、いくつかの態様において第１デバイスのユニキャスト媒体アクセス制御アドレスを含み得、それにより、ＭＰＤＵが第１デバイスに向けられることを識別する。
【００８２】
[0089]いくつかの態様では、Ａ−ＭＰＤＵは、Ａ−ＭＰＤＵ内の複数のＭＰＤＵがどのように処理されるべきか決定するために復号され得る。いくつかの態様では、この決定は、Ａ−ＭＰＤＵが複数の送信を確認応答しているかどうかに対応し得る。いくつかの態様では、この決定はＡ−ＭＰＤＵ中に含まれる明示的なインジケータに基づき得る。例えば、いくつかの態様では、Ａ−ＭＰＤＵ中に含まれるフレーム中の（図６中のＭＰＤＵデリミタ６０４ａのような）第１ＭＰＤＵデリミタのＥＯＦフィールド６１０及び／又は予約済みフィールド６１２の１つ又は複数が、インジケータとして機能し得る。他のいくつかの態様では、インジケータは、典型的には物理ヘッダ６０２中のスクランブラシードフィールド６５１から復号され得る。インジケータを含む態様では、２つの媒体アクセス制御プロトコルデータユニット（ＭＰＤＵ）の復号は、インジケータで左右され得る。例えば、インジケータが第１値（例えばイチ（１））を有する場合、デバイスは、Ａ−ＭＰＤＵ中に含まれる各ＭＰＤＵ中の（受信器アドレスフィールド６２４のような）受信器又は宛先アドレスフィールドを復号するように構成され得る。ある特定のＭＰＤＵが第１デバイスにアドレス指定される場合、このＭＰＤＵ中のデータは第１デバイスによって処理され得る。例えばＭＰＤＵの宛先又は受信器アドレスフィールド中で第１デバイスを識別しないことによってある特定のＭＰＤＵが第１デバイスをアドレス指定しない場合、このＭＰＤＵ中に含まれるデータは、第１デバイスによって処理されず、むしろ、第１デバイスによって無視され得る。
【００８３】
[0090]明示的なインジケータが（ゼロ（０）のような）第２値を有する場合、第１デバイスはＡ−ＭＰＤＵ中のＭＰＤＵの各々が全て同じデバイスにアドレス指定されると決定し得る。この場合、デバイスは、第１ＭＰＤＵが第１デバイスにアドレス指定されるかを（例えばＭＰＤＵ６０４のフレーム制御フィールド中にあり得る受信器アドレスフィールド６２４を介して）決定するためにＡ−ＭＰＤＵ中の第１ＭＰＤＵを復号するだけであり得る。次に、ＭＰＤＵの各々の中のデータは、第１デバイスが第１ＭＰＤＵによってアドレス指定されるかに基づいて処理され得る。例えば、第１ＭＰＤＵが第１デバイスにアドレス指定される場合、あたかもＭＰＤＵの各々も第１デバイスにアドレス指定されるかのように、第１デバイスはＭＰＤＵの各々の中のデータを処理し得る。代替的に、第１ＭＰＤＵが第１デバイスをアドレス指定しない場合、あたかもＭＰＤＵの各々が全て別のデバイスにアドレス指定されるかのように、Ａ−ＭＰＤＵ中のＭＰＤＵデータは全て第１デバイスによって無視され得る。いくつかの態様では、ブロック８１５に関して上述した機能の１つ又は複数は、プロセッサ３０４によって実行され得る。
【００８４】
[0091]いくつかの態様では、第１デバイスは、上述したようにＡ−ＭＰＤＵがマルチユーザ送信を確認応答するかを決定するために明示的なインジケータに依拠せず、２つのＭＰＤＵが、ＭＰＤＵのどちらかが第１デバイスをアドレス指定するかを決定するために復号されるべきである。代りに、第１デバイスは、ブロック８０５において送信されるマルチユーザ送信のための確認応答が未処理であることを示すステート情報を維持し得る。このステート情報に基づいて、第１デバイスは、確認応答が未処理である場合に復号されたＭＰＤＵが第１デバイスを識別するかを決定するためにＡ−ＭＰＤＵ中のＭＰＤＵの２つの各々を復号し得る。ステート情報がマルチユーザ送信の確認応答が未処理であることを示さない場合、第１デバイスはＡ−ＭＰＤＵを別のやり方で復号し得る。例えば、第１デバイスは、Ａ−ＭＰＤＵ中の第１ＭＰＤＵ受信器アドレスだけを復号し得る。第１デバイスは、残りのＭＰＤＵが第１ＭＰＤＵ中で識別された第１デバイスにアドレス指定されるか向けられるとみなし得る。例えば、第１ＭＰＤＵが第１デバイスにアドレス指定される場合、ＭＰＤＵの各々と関連するデータは第１デバイスによって処理され得る。第１ＭＰＤＵが第１デバイスをアドレス指定しない場合、いくつかの態様では、ＭＰＤＵ中のどのデータも第１デバイスによって処理されないことがある。
【００８５】
[0092]ブロック８２０は、ブロック８０５において送信されるメッセージがＡ−ＭＰＤＵによって確認応答されるかを決定する。送信されるメッセージが確認応答されるかは、ブロック８１５において復号されたＭＰＤＵののうちの１つによって示され得る。例えば、ＭＰＤＵのうちの１つが宛先又は受信器アドレスフィールドを介してデバイスを識別し、ＭＰＤＵが確認応答又はブロック確認メッセージであることを示すフレーム制御フィールド中でタイプ／サブタイプフィールドを有する場合、第１デバイスは、ブロック８０５において送信されるメッセージがＭＰＤＵによって確認応答されると決定し得る。第１デバイスがブロック８０５において送信されたメッセージが確認応答されたと決定する場合、第１デバイスは、例えば、内部再送信キューからメッセージ自体（又はメッセージを定義するデータ）を除去する。第１デバイスが、ブロック８０５において送信されたメッセージが確認応答されないと決定する場合、ブロック８０５において送信されたメッセージ又はメッセージを定義するデータは、必要な場合に再送信されることが可能なように再送信キュー上で維持され得る。また、ブロック８０５のメッセージが確認応答される場合、第１デバイスは送信のために第２メッセージを準備し得るが、ブロック８０５のメッセージが確認応答されないままの場合、第２メッセージはその送信を延期され得る。いくつかの態様では、ブロック８２０に関して上述した機能の１つ又は複数は、プロセッサ３０４によって実行され得る。
【００８６】
[0093]当業者は、情報及び信号が様々な相違する技術及び技法のいずれを使用しても表されることが可能であることを理解するであろう。例えば、上の記述の全体にわたって参照される可能性のあるデータ、命令、コマンド、情報、信号、ビット、シンボル、及びチップは、電圧、電流、電磁波、磁場又は磁粒子、光場又は光学粒子、或いはそれらの任意の組合せによって表わされることが可能である。
【００８７】
[0094]本開示中で記述される実装形態への様々な修正は、当業者にとって容易に明らかであり、また、本明細書で定義される一般的な原理は、本開示の精神又は範囲から逸脱することなく他の実装形態に適用されることが可能である。したがって、本開示は、本明細書で示される実装形態に限定されることを意図されておらず、本明細書で開示される特許請求の範囲、原理、及び新規な特徴と一致する最も広い範囲を与えられることとなる。「例示的」という用語は、本明細書では、もっぱら「例、事例、又は実例としての役割を果たす」という意味で使用される。「例示的」として本明細書で記述されるいずれの実装形態も、必ずしも、他の実装形態よりも好ましい又は有利であるとして解釈されるべきではない。
【００８８】
[0095]別々の実装形態に照らして本明細書で記述される特徴はまた、単一の実装形態において組み合わせて実装されることが可能である。反対に、単一の実装形態に照らして記述される様々な特徴は、複数の実装形態において別々に又は任意の適切なサブコンビネーションで実装されることも可能である。さらに、特徴は、ある組合せで作用するように上で記述されることが可能で、またそのように初めに特許請求されることさえも可能であるが、特許請求される組合せからの１つ又は複数の特徴は、いくつかの場合では、その組合せから削除されることが可能であり、特許請求される組合せは、サブコンビネーション、又はサブコンビネーションの変形物を対象とすることが可能である。
【００８９】
[0096]上で記述された方法の様々な動作は、様々なハードウェアコンポーネント及び／又はソフトウェアコンポーネント、回路、並びに／或いはモジュールのような、動作を実行することが可能な任意の適切な手段によって実行され得る。一般に、図に示されるどのような動作も、それらの動作を実行することが可能な対応する機能的手段によって実行され得る。
【００９０】
[0097]本開示に関連して記述される様々な実例となる論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）又は他のプログラマブル論理デバイス（ＰＬＤ）、個別ゲート又はトランジスタ論理、個別ハードウェアコンポーネント、又は本明細書で記述される機能を実行するように設計されたそれらの任意の組合せにより、実装又は実行されることが可能である。汎用プロセッサは、マイクロプロセッサであり得るが、代替として、プロセッサは、任意の市販のプロセッサ、コントローラ、マイクロコントローラ、又はステートマシンであり得る。プロセッサはまた、コンピューティングデバイスの組合せとして、例えば、ＤＳＰとマイクロプロセッサの組合せ、複数のマイクロプロセッサ、ＤＳＰコアと連動する１つ又は複数のマイクロプロセッサ、或いは、任意の他のそのような構成の組合せとして実装され得る。
【００９１】
[0098]１つ又は複数の態様では、記述される機能は、ハードウェア、ソフトウェア、ファームウェア、又はこれらの任意の組合せで実装され得る。ソフトウェアで実装される場合、機能は、１つ又は複数の命令或いはコードとして、コンピュータ可読媒体上で記憶又は送信され得る。コンピュータ可読媒体は、コンピュータ記憶媒体と、ある場所から別の場所へのコンピュータプログラムの転送を容易にする任意の媒体を含む通信媒体との両方を含む。記憶媒体は、コンピュータによってアクセスされることが可能な任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ又は他の光ディスクストレージ、磁気ディスクストレージ又は他の磁気記憶デバイス、或いは命令もしくはデータ構造の形態の所望のプログラムコードを搬送又は記憶するために使用されることが可能であるとともにコンピュータによってアクセスされることが可能な任意の他の媒体を備えることが可能である。また、任意の接続が、コンピュータ可読媒体と称されることが適切である。例えば、ソフトウェアがウェブサイト、サーバ、又は他の遠隔ソースから、同軸ケーブル、光ファイバーケーブル、ツイストペア、デジタル加入者回線（ＤＳＬ）、或いは赤外線、無線、及びマイクロ波のようなワイヤレス技術を使用して送信される場合、同軸ケーブル、光ファイバーケーブル、ツイストペア、ＤＳＬ、或いは赤外線、無線、及びマイクロ波のようなワイヤレス技法は、送信媒体の定義に含まれる。ディスク（disk）及びディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、及びブルーレイディスク（disc）を含み、ここで、ディスク（disk）は通常、磁気的にデータを再生し、その一方でディスク（disc）は、レーザーを用いて光学的にデータを再生する。したがって、いくつかの態様では、コンピュータ可読媒体は、非一時的コンピュータ可読媒体（例えば、有体的媒体）を備え得る。加えて、いくつかの態様では、コンピュータ可読媒体は、一時的コンピュータ可読媒体（例えば、信号）を備え得る。上の組合せもコンピュータ可読媒体の範囲内に含まれるべきである。
【００９２】
[0099]本明細書で開示される方法は、記述される方法を達成するための１つ又は複数のステップ又は動作を備える。方法のステップ及び／又は動作は、特許請求の範囲から逸脱することなく互いに交換され得る。言い換えれば、ステップ又は動作の特定の順序が指定されない限り、特定のステップ及び／又は動作の順序並びに／或いは使用は、特許請求の範囲から逸脱することなく修正され得る。
【００９３】
[00100]さらに、本明細書で記述される方法及び技法を実行するためのモジュール及び／又は他の適切な手段が、適用可能であれば、ユーザ端末及び／又は基地局によってダウンロード及び／又は他の方法で得られることが可能なことが理解されるべきである。例えば、そのようなデバイスは、本明細書で記述される方法を実行するための手段の転送を容易にするために、サーバに結合されることが可能である。代替的に、本明細書で記述される様々な方法は、ユーザ端末及び／又は基地局が、デバイスに記憶手段を結合又は提供すると様々な方法を取得することができるように、記憶手段（例えば、ＲＡＭ、ＲＯＭ、コンパクトディスク（ＣＤ）又はフロッピーディスクのような物理記憶媒体など）を介して提供されることが可能である。さらに、本明細書で記述される方法及び技法をデバイスに提供するための任意の他の適切な技法が利用されることが可能である。
【００９４】
[00101]上記は本開示の態様に向けられるが、開示の他の態様及びさらなる態様は、その基本的な範囲から逸脱することなく考案され得、その範囲は続く特許請求の範囲によって決定される。
【図１】
2018500801.tif 000003
【図２】
2018500801.tif 000004
【図３】
2018500801.tif 000005
【図４】
2018500801.tif 000006
【図５】
2018500801.tif 000007
【図６】
2018500801.tif 000008
【図７】
2018500801.tif 000009
【図８】
2018500801.tif 000010
【国際調査報告】
2018500801.tif 000011
2018500801.tif 000012
2018500801.tif 000013